(57)【要約】【課題】リモコン送信機の動きに応じた動作内容を電子装置の表示画面上に動作バーとして表示することで、リモコン送信機の動きに応じた動作内容を、ユーザが直感的かつ容易に把握できるようにする。【解決手段】リモコン送信機３０は、送信機本体の動き方向に対応させた動作制御信号を生成して液晶テレビ装置１に送信し、液晶テレビ装置１は、リモコン受信部２４を介して専用キーの操作信号を受信すると、現在の動作内容を動作バーとしてその動作内容の表記と共に液晶パネル１６の画面に表示するとともに、表示された動作バー上の現在の動作状態に対応する位置にポインタを表示し、リモコン受信部２４を介して送信機本体の動き方向に対応した動作制御信号を受信すると、その動作制御信号に従って前記動作バーまたは動作バー上のポインタを移動させる。【選択図】図１
2011055368.tif 000002
【特許請求の範囲】
【請求項１】
リモコン送信機を備えた電子装置であって、
前記リモコン送信機は、送信機本体の動きに応じて装置本体に対する動作制御信号を生成する動作制御信号生成モードに移行させるための専用キーを備えており、
前記専用キーの操作による前記動作制御信号生成モード時、
前記送信機本体の動き方向を検出する方向検出手段と、
前記方向検出手段によって検出された動き方向に対応させた動作制御信号を生成する動作制御信号生成手段と、
前記動作制御信号生成手段により生成された動作制御信号を前記装置本体に対して送信する送信手段とを備え、
前記電子装置は、
表示手段と、
前記装置本体の現在の動作内容を動作バーとしてその動作内容の表記と共に前記表示手段に表示する表示制御手段と、
前記送信手段からの送信信号を受信する受信手段とを備え、
前記表示制御手段は、前記受信手段により前記専用キーの操作信号を受信すると前記表示手段に前記動作バーを表示するとともに、表示された前記動作バー上の現在の動作状態に対応する位置にポインタを表示し、前記受信手段により前記送信機本体の動き方向に対応した動作制御信号を受信すると、その動作制御信号に従って前記動作バー上のポインタを移動させることを特徴とするリモコン送信機を備えた電子装置。
【請求項２】
請求項１に記載のリモコン送信機を備えた電子装置であって、
前記方向検出手段は、前記専用キーが操作されたときの前記送信機本体の位置を原点として、前記送信機本体の一次元方向の動きを検出し、
前記動作制御信号生成手段は、前記方向検出手段から前記一次元方向に沿った第１の方向への動きを検出すると、前記第１の方向に対応した第１の動作制御信号を生成する一方、前記方向検出手段から前記一次元方向に沿った第２の方向への動きを検出すると、前記第２の方向に対応した第２の動作制御信号を生成し、
前記表示制御手段は、前記受信手段により前記第１の動作制御信号を受信すると、前記ポインタを前記動作バー上の対応する第１の方向に移動し、前記受信手段により前記第２の動作制御信号を受信すると、前記ポインタを前記動作バー上の対応する第２の方向に移動することを特徴とするリモコン送信機を備えた電子装置。
【請求項３】
請求項１に記載のリモコン送信機を備えた電子装置であって、
前記方向検出手段は、前記専用キーが操作されたときの前記送信機本体の位置を原点として、前記送信機本体の一次元方向の動きを検出し、
前記動作制御信号生成手段は、前記方向検出手段から前記一次元方向に沿った第１の方向への動きを検出すると、前記第１の方向に対応した第１の動作制御信号を生成する一方、前記方向検出手段から前記一次元方向に沿った第２の方向への動きを検出すると、前記第２の方向に対応した第２の動作制御信号を生成し、
前記表示制御手段は、前記受信手段により前記第１の動作制御信号を受信すると、前記ポインタを位置固定して前記動作バーを対応する第１の方向に移動し、前記受信手段により前記第２の動作制御信号を受信すると、前記ポインタを位置固定して前記動作バーを対応する第２の方向に移動することを特徴とするリモコン送信機を備えた電子装置。
【請求項４】
請求項１に記載のリモコン送信機を備えた電子装置であって、
前記方向検出手段は、前記専用キーが操作されたときの前記送信機本体の位置を原点として、前記送信機本体の左右方向と上下方向の２つの動きを個別に検出し、
前記動作制御信号生成手段は、前記方向検出手段から左方向への動きを検出すると、前記左方向に対応した左動作制御信号を生成し、前記方向検出手段から右方向への動きを検出すると、前記右方向に対応した右動作制御信号を生成し、前記方向検出手段から上方向への動きを検出すると、前記上方向に対応した上動作制御信号を生成し、前記方向検出手段から下方向への動きを検出すると、前記下方向に対応した下動作制御信号を生成し、
前記表示制御手段は、前記受信手段により前記専用キーの操作信号を受信すると前記表示手段に横方向と縦方向に直交する２つの動作バーを表示するとともに、その交点に前記ポインタを表示し、前記受信手段により前記左動作制御信号を受信すると、前記ポインタと共に前記縦方向動作バーを左方向に移動し、前記受信手段により前記右動作制御信号を受信すると、前記ポインタと共に前記縦方向動作バーを右方向に移動し、前記受信手段により前記上動作制御信号を受信すると、前記ポインタと共に前記横方向動作バーを上方向に移動し、前記受信手段により前記下動作制御信号を受信すると、前記ポインタと共に前記横方向動作バーを下方向に移動することにより、前記横方向動作バー及び縦方向動作バーが常に前記ポインタで交差しながら２方向にそれぞれ移動することを特徴とするリモコン送信機を備えた電子装置。
【請求項５】
請求項１に記載のリモコン送信機を備えた電子装置であって、
前記方向検出手段は、前記専用キーが操作されたときの前記送信機本体の位置を原点として、前記送信機本体の左右方向と上下方向の２つの動きを個別に検出し、
前記動作制御信号生成手段は、前記方向検出手段から左方向への動きを検出すると、前記左方向に対応した左動作制御信号を生成し、前記方向検出手段から右方向への動きを検出すると、前記右方向に対応した右動作制御信号を生成し、前記方向検出手段から上方向への動きを検出すると、前記上方向に対応した上動作制御信号を生成し、前記方向検出手段から下方向への動きを検出すると、前記下方向に対応した下動作制御信号を生成し、
前記表示制御手段は、前記受信手段により前記専用キーの操作信号を受信すると前記表示手段に横方向と縦方向に直交する２つの動作バーを表示するとともに、その交点に前記ポインタを表示し、前記受信手段により前記左動作制御信号を受信すると、前記ポインタを位置固定して前記横方向動作バーを右方向に移動し、前記受信手段により前記右動作制御信号を受信すると、前記ポインタを位置固定して前記横方向動作バーを左方向に移動し、前記受信手段により前記上動作制御信号を受信すると、前記ポインタを位置固定して前記縦方向動作バーを下方向に移動し、前記受信手段により前記下動作制御信号を受信すると、前記ポインタを位置固定して前記縦方向動作バーを上方向に移動することにより、前記横方向動作バー及び縦方向動作バーが常に前記ポインタで交差しながら２方向にそれぞれ移動することを特徴とするリモコン送信機を備えた電子装置。
【請求項６】
請求項４または請求項５に記載のリモコン送信機を備えた電子装置であって、
前記方向検出手段はさらに斜め方向の動きを検出し、
前記動作制御信号生成手段は、前記方向検出手段から左斜め上方向への動きを検出すると、前記左方向に対応した左動作制御信号と前記上方向に対応した上動作制御信号とを生成し、前記方向検出手段から右斜め下方向への動きを検出すると、前記右方向に対応した右動作制御信号と前記下方向に対応した下方向動作信号とを生成し、前記方向検出手段から左斜め下方向への動きを検出すると、前記左方向に対応した左動作制御信号と前記下方向に対応した下動作制御信号とを生成し、前記方向検出手段から右斜め上方向への動きを検出すると、前記右方向に対応した右動作制御信号と前記上方向に対応した上動作制御信号を生成することを特徴とするリモコン送信機を備えた電子装置。
【請求項７】
請求項１ないし請求項６のいずれか１項に記載のリモコン送信機を備えた電子装置であって、
前記方向検出手段が角度センサまたはジャイロセンサであることを特徴とするリモコン送信機を備えた電子装置。
【発明の詳細な説明】
【技術分野】
【０００１】
本発明は、リモコン送信機を備えた電子装置に関する。
【背景技術】
【０００２】
一般に、テレビジョン受信装置やＤＶＤレコーダ等の電子装置は、リモコン送信機によって遠隔操作できるようになっている。
【０００３】
リモコン送信機には、電源キーやテンキーをはじめ、機器本体の各種動作を制御するための種々の機能キーが設けられており、ユーザは、これらのキーを操作して、機器本体の動作制御を行っている。
【０００４】
しかし、近年では、電子装置に多くの機能が搭載されており、それに伴ってリモコン送信機に設けられるキーの数も増加する傾向にある。そのため、ユーザは、電子装置を制御する場合、リモコン送信機に設けられている多くのキーの中から、所望の動作を行うキーを選択して操作する必要があり、そのキーの選択操作が煩わしかったり、また、間違ったキーを操作してやり直すといった操作ミスも発生しやすくなっている。このような操作ミスは、日常的に良く使用する操作し慣れたキー（例えば、テレビジョン受信装置では音量のアップ・ダウンやチャンネルのアップ・ダウン等のキー）であっても、操作ミスが発生しやすい状況である。
【０００５】
そこで、このような操作ミスを無くし、少しでもユーザの使い勝手の向上を図るべく、キー操作ではなく、リモコン送信機自体を振ることによって、これらのキー機能を実現するようにしたものが従来から提案されている（例えば、特許文献１〜３等参照）。
【０００６】
特許文献１には、リモコン本体を上下・左右に振ることで、チャンネルや音量のアップ・ダウン等の操作を軽快かつ直感的に行うことができる放送受信装置及びリモコン装置が開示されている。具体的には、リモコン本体を例えば上方向に振るとチャンネルアップ方向の変更が行われ、ＯＳＤ回路によりチャンネルアップのアイコンが画面表示されるようになっている。このアイコンは、具体的には上向きの矢印である。
【０００７】
特許文献２には、発光部から各種光信号を発光出力する遠隔操作装置を備えた電子機器において、前記光信号を受光して受光量の変化を検出する受光検出部を備えており、テレビ放送信号を受信してモニタ画面上に表示している状態において、前記遠隔操作装置を左右方向または上下方向の一方向に振ることにより前記受光検出部で検出される受光量の変化に基づいて受信チャンネルのアップ・ダウンを切り換えるとともに、遠隔操作装置を前記一方向とは異なる他方向に振ることにより前記受光検出部で検出される受光量の変化に基づいて音量のアップ・ダウンを制御する構成の電子機器が開示されている。
【０００８】
特許文献３には、傾斜センサ及び加速度センサを備え、リモコン装置の筐体の移動を検出すると、制御部は、傾斜センサ及び加速度センサによって検出された筐体の移動内容に応じた動作指示信号を生成し、信号送信部からこの動作指示信号に応じた光信号波を送信するリモコン装置が開示されている。具体的には、リモコン装置の操作子を押し下げした状態で、筐体を時計回りに傾けると音量を増加する動作指示信号を送信し、筐体を右方向に移動するとチャンネルの順送りを指示する動作指示信号を送信するようになっている。
【先行技術文献】
【特許文献】
【０００９】
【特許文献１】特開２００４−１３００３号公報
【特許文献２】特開２００７−１０４５６７号公報
【特許文献３】特開２００３−１１１１７１号公報
【発明の概要】
【発明が解決しようとする課題】
【００１０】
上記特許文献１に記載のものは、リモコン本体を上方向に振るとチャンネルアップ方向の変更が行われ、ＯＳＤ回路によりチャンネルアップのアイコン（上向きの矢印）が画面表示されるようになっている。従って、ユーザは、この画面表示されたアイコンを目視により確認することで、リモコン本体の上方向の振り操作がチャンネルアップ操作であることを確認することができる。しかし、画面に表示されるのは上向きの矢印のみであり、現在どのチャンネルまでアップしているのか、後何回振れば所望のチャンネルまでアップできるのか、といったことが直感的に分かりにくい表示となっている。
【００１１】
また、上記特許文献２に記載のものは、遠隔操作装置を左右方向または上下方向の一方向に振ることにより受信チャンネルのアップ・ダウンを切り換えるとともに、遠隔操作装置を前記一方向とは異なる他方向に振ることにより音量のアップ・ダウンを制御する構成となっている。しかし、ユーザは、遠隔操作装置を振る方向が電子機器のどのような動作に対応しているのかを目視によって確認することができないので、遠隔操作装置の操作方向とそのときの電子機器の動作内容とを覚えておかなければ操作することができず、ユーザにとっては逆に操作しにくいものとなっている。
【００１２】
また、上記特許文献３に記載のものは、リモコン装置を振ったり傾けたりすることで、所望の動作指示信号を送信できるようになっている。しかし、ユーザは、その操作がどのような動作指示信号に対応した操作であるのかを目視によって確認することができないので、リモコン装置の操作方向とそのときの動作指示信号の内容とを覚えておかなければ操作することができず、ユーザにとっては逆に操作しにくいものとなっている。
【００１３】
本発明はかかる問題点を解決すべく創案されたもので、その目的は、リモコン送信機の動きに応じた動作内容を電子装置の表示画面上に動作バーとして表示することで、リモコン送信機の動きに応じた動作内容を、ユーザが直感的かつ容易に把握できるようにしたリモコン送信機を備えた電子装置を提供することにある。
【課題を解決するための手段】
【００１４】
上記課題を解決するため、本発明はリモコン送信機を備えた電子装置であって、前記リモコン送信機は、送信機本体の動きに応じて装置本体に対する動作制御信号を生成する動作制御信号生成モードに移行させるための専用キーを備えており、前記専用キーの操作による前記動作制御信号生成モード時、前記送信機本体の動き方向を検出する方向検出手段と、前記方向検出手段によって検出された動き方向に対応させた動作制御信号を生成する動作制御信号生成手段と、前記動作制御信号生成手段により生成された動作制御信号を前記装置本体に対して送信する送信手段とを備え、前記電子装置は、表示手段と、前記装置本体の現在の動作内容を動作バーとしてその動作内容の表記と共に前記表示手段に表示する表示制御手段と、前記送信手段からの送信信号を受信する受信手段とを備え、前記表示制御手段は、前記受信手段により前記専用キーの操作信号を受信すると前記表示手段に前記動作バーを表示するとともに、表示された前記動作バー上の現在の動作状態に対応する位置にポインタを表示し、前記受信手段により前記装置本体の動き方向に対応した動作制御信号を受信すると、その動作制御信号に従って前記動作バー上のポインタを移動させることを特徴としている。
【００１５】
本発明によれば、電子装置の表示制御手段は、受信手段により専用キーの操作信号を受信すると、装置本体の現在の動作内容を動作バーとしてその動作内容の表記と共に表示手段に表示するとともに、表示された動作バー上の現在の動作状態に対応する位置にポインタを表示する。そして、受信手段により送信機本体の動き方向に対応した動作制御信号を受信すると、その動作制御信号に従って動作バー上のポインタを移動させる構成となっている。
【００１６】
具体的には、例えば動作バーが音量のアップ・ダウンを示す棒状の動作バーである場合、この動作バー上に所定の間隔で音量が数値で表記（例えば１から３０までの数値で表記）されている。また、ポインタは、現在の音量が１５である場合には、１５の数値が表記されている動作バー上に位置している。そして、この状態でユーザが、送信機本体を例えば音量をダウンさせる方向に移動させると、ポインタが動作バー上を例えば左方向に動くことによって、１４の数値が表記されている動作バー上に移動する。これにより、ユーザは、送信機本体を移動させたことによるポインタの動きを目視により確認できるので、現在の音量が、０（すなわちミュート）から３０（すなわち最大）までの全音量レベルの中のどの程度の音量レベルであるのかを、単なる数値の確認だけでなく、動作バーの全長に対するポインタの位置によって直感的に（イメージ的に）把握することが可能となる。
【００１７】
また、本発明のリモコン送信機を備えた電子装置によれば、前記方向検出手段は、前記専用キーが操作されたときの前記送信機本体の位置を原点として、前記送信機本体の一次元方向の動きを検出し、前記動作制御信号生成手段は、前記方向検出手段から前記一次元方向に沿った第１の方向への動きを検出すると、前記第１の方向に対応した第１の動作制御信号を生成する一方、前記方向検出手段から前記一次元方向に沿った第２の方向への動きを検出すると、前記第２の方向に対応した第２の動作制御信号を生成し、前記表示制御手段は、前記受信手段により前記第１の動作制御信号を受信すると、前記ポインタを前記動作バー上の対応する第１の方向に移動し、前記受信手段により前記第２の動作制御信号を受信すると、前記ポインタを前記動作バー上の対応する第２の方向に移動するように構成してもよい。すなわち、本発明では、動作バーは表示画面上で位置固定とし、その動作バー上をポインタが移動する構成としている。
【００１８】
本発明によれば、方向検出手段は、専用キーが操作されたときの送信機本体の位置を原点として、送信機本体の例えば横方向（一次元方向）の動きを検出する。動作制御信号生成手段は、方向検出手段から例えば左方向（第１の方向）への動きを検出すると、左方向に対応した第１の動作制御信号を生成し、方向検出手段から右方向（第２の方向）への動きを検出すると、右方向に対応した第２の動作制御信号を生成する。表示制御手段は、受信手段により第１の動作制御信号を受信すると、ポインタを動作バー上の対応する左方向（第１の方向）に移動し、受信手段により第２の動作制御信号を受信すると、ポインタを動作バー上の対応する右方向（第２の方向）に移動する。
【００１９】
具体的には、例えば動作バーが音量のアップ・ダウンを示す横方向に配置された棒状の動作バーである場合、この動作バー上に所定の間隔で音量が数値で表記（例えば１から３０までの数値で表記）されている。また、ポインタは、現在の音量が１５である場合には、１５の数値が表記されている動作バー上に位置している。そして、この状態でユーザが、送信機本体を例えば左方向に移動させると、ポインタが動作バー上を左方向に動くことによって、１４の数値が表記されている動作バー上に移動する。一方、ユーザが送信機本体を右方向に移動させると、ポインタが動作バー上を右方向に動くことによって、１６の数値が表記されている動作バー上に移動する。これにより、ユーザは、送信機本体を左または右に移動させたことによるポインタの動きを目視により確認できるので、現在の音量が、０（すなわちミュート）から３０（すなわち最大）までの全音量レベルの中のどの程度の音量レベルであるのかを、単なる数値の確認だけでなく、動作バーの全長に対するポインタの位置によって直感的に（イメージ的に）把握することが可能となる。
【００２０】
また、本発明のリモコン送信機を備えた電子装置によれば、前記方向検出手段は、前記専用キーが操作されたときの前記送信機本体の位置を原点として、前記送信機本体の一次元方向の動きを検出し、前記動作制御信号生成手段は、前記方向検出手段から前記一次元方向に沿った第１の方向への動きを検出すると、前記第１の方向に対応した第１の動作制御信号を生成する一方、前記方向検出手段から前記一次元方向に沿った第２の方向への動きを検出すると、前記第２の方向に対応した第２の動作制御信号を生成し、前記表示制御手段は、前記受信手段により前記第１の動作制御信号を受信すると、前記ポインタを位置固定して前記動作バーを対応する第１の方向に移動し、前記受信手段により前記第２の動作制御信号を受信すると、前記ポインタを位置固定して前記動作バーを対応する第２の方向に移動するように構成してもよい。すなわち、本発明では、ポインタは表示画面上で位置固定とし、動作バー側をポインタの位置に合わせるように移動させる構成としている。
【００２１】
本発明によれば、方向検出手段は、専用キーが操作されたときの送信機本体の位置を原点として、送信機本体の横方向（一次元方向）の動きを検出する。動作制御信号生成手段は、方向検出手段から例えば左方向（第１の方向）への動きを検出すると、左方向に対応した第１の動作制御信号を生成し、方向検出手段から右方向（第２の方向）への動きを検出すると、右方向に対応した第２の動作制御信号を生成する。表示制御手段は、受信手段により第１の動作制御信号を受信すると、ポインタを表示画面上で位置固定して、動作バーを右方向に移動し、受信手段により第２の動作制御信号を受信すると、ポインタを表示画面上で位置固定して、動作バーを左方向に移動する。
【００２２】
具体的には、例えば動作バーが音量のアップ・ダウンを示す横方向に配置された棒状の動作バーである場合、この動作バー上に所定の間隔で音量が数値で表記（例えば１から３０までの数値で表記）されている。また、ポインタは、現在の音量が１５である場合には、１５の数値が表記されている動作バー上に位置している。そして、この状態でユーザが、送信機本体を例えば左方向に移動させると、ポインタは表示画面上で位置固定され、動作バー側が逆方向である右方向に動くことによって、ポインタのところに、音量１４の数値が位置するまで動作バーが移動する。一方、ユーザが送信機本体を右方向に移動させると、ポインタは表示画面上で位置固定され、動作バー側が逆方向である左方向に動くことによって、ポインタのところに、音量１６の数値が位置するまで動作バーが移動する。これにより、ユーザは、送信機本体を左または右に移動させたことによるポインタの動き（この場合には動作バーの動き）を目視により確認できるので、現在の音量が、０（すなわちミュート）から３０（すなわち最大）までの全音量レベルの中のどの程度の音量レベルであるのかを、単なる数値の確認だけでなく、動作バーの全長に対するポインタの位置によって直感的に（イメージ的に）把握することが可能となる。
【００２３】
また、本発明のリモコン送信機を備えた電子装置によれば、前記方向検出手段は、前記専用キーが操作されたときの前記送信機本体の位置を原点として、前記送信機本体の左右方向と上下方向の２つの動きを個別に検出し、前記動作制御信号生成手段は、前記方向検出手段から左方向への動きを検出すると、前記左方向に対応した左動作制御信号を生成する一方、前記方向検出手段から右方向への動きを検出すると、前記右方向に対応した右動作制御信号を生成し、また、前記方向検出手段から上方向への動きを検出すると、前記上方向に対応した上動作制御信号を生成する一方、前記方向検出手段から下方向への動きを検出すると、前記下方向に対応した下動作制御信号を生成し、前記表示制御手段は、前記受信手段により前記専用キーの操作信号を受信すると前記表示手段に横方向と縦方向に直交する２つの動作バーを表示するとともに、その交点に前記ポインタを表示し、前記受信手段により前記左動作制御信号を受信すると、前記ポインタと共に前記縦方向動作バーを左方向に移動し、前記受信手段により前記右動作制御信号を受信すると、前記ポインタと共に前記縦方向動作バーを右方向に移動し、前記受信手段により前記上動作制御信号を受信すると、前記ポインタと共に前記横方向動作バーを上方向に移動し、前記受信手段により前記下動作制御信号を受信すると、前記ポインタと共に前記横方向動作バーを下方向に移動することにより、前記横方向動作バー及び縦方向動作バーが常に前記ポインタで交差しながら２方向にそれぞれ移動することを特徴としている。
【００２４】
本発明によれば、方向検出手段は、専用キーが操作されたときの送信機本体の位置を原点として、送信機本体の左右方向と上下方向の２つの動きを個別に検出する。動作制御信号生成手段は、方向検出手段から左方向への動きを検出すると、左方向に対応した左動作制御信号を生成し、方向検出手段から右方向への動きを検出すると、右方向に対応した右動作制御信号を生成し、方向検出手段から上方向への動きを検出すると、上方向に対応した上動作制御信号を生成し、方向検出手段から下方向への動きを検出すると、下方向に対応した下動作制御信号を生成する。表示制御手段は、受信手段により専用キーの操作信号を受信すると、表示手段に横方向と縦方向に直交する２つの動作バーを表示するとともに、その交点にポインタを表示する。そして、受信手段により左動作制御信号を受信すると、ポインタと共に縦方向動作バーを左方向に移動し、受信手段により右動作制御信号を受信すると、ポインタと共に縦方向動作バーを右方向に移動し、受信手段により上動作制御信号を受信すると、ポインタと共に横方向動作バーを上方向に移動し、受信手段により下動作制御信号を受信すると、ポインタと共に横方向動作バーを下方向に移動する。すなわち、横方向動作バー及び縦方向動作バーが常にポインタで交差しながら２方向にそれぞれ移動する構成としている。
【００２５】
具体的には、例えば横方向動作バーが音量のアップ・ダウンを示す棒状の動作バーであり、縦方向動作バーがチャンネルのアップ・ダウンを示す棒状の動作バーである場合、横方向動作バー上に所定の間隔で音量が数値で表記（例えば１から３０までの数値で表記）されており、縦方向動作バー上に所定の間隔で各チャンネルが数値で表記（例えば１チャンネルから１２チャンネルまでの数値で表記）されている。また、電子装置の現在の音量が１５であり、現在のチャンネルが６チャンネルである場合、縦方向動作バーと横方向動作バーとは、この音量１５の位置とチャンネル６の位置とで交差するように配置されており、ポインタは、この２つの動作バーの交点上に位置している。そして、この状態でユーザが、送信機本体を例えば左方向に移動させると、ポインタが縦方向動作バーと共に横方向動作バー上を左方向に動くことによって、ポインタと縦方向動作バーとが１４の数値が表記されている横方向動作バー上に移動する。一方、ユーザが、送信機本体を右方向に移動させると、ポインタが縦方向動作バーと共に横方向動作バー上を右方向に動くことによって、ポインタと縦方向動作バーとが１６の数値が表記されている横方向動作バー上に移動する。また、送信機本体を例えば上方向に移動させると、ポインタが横方向動作バーと共に縦方向動作バー上を上方向に動くことによって、ポインタと横方向動作バーとがチャンネル７の数値が表記されている縦方向動作バー上に移動する。一方、ユーザが、送信機本体を下方向に移動させると、ポインタが横方向動作バーと共に縦方向動作バー上を下方向に動くことによって、ポインタと横方向動作バーとがチャンネル５の数値が表記されている縦方向動作バー上に移動する。これにより、ユーザは、送信機本体を左右方向または上下方向に移動させたことによるポインタの動きを目視により確認できるので、現在の音量が、０（すなわちミュート）から３０（すなわち最大）までの全音量レベルの中のどの程度の音量レベルであるのか、また、現在のチャンネル表示が何チャンネルであるのかを、単なる数値の確認だけでなく、動作バーの全長に対するポインタの位置によって直感的に（イメージ的に）把握することが可能となる。
【００２６】
また、本発明のリモコン送信機を備えた電子装置によれば、前記方向検出手段は、前記専用キーが操作されたときの前記送信機本体の位置を原点として、前記送信機本体の左右方向と上下方向の２つの動きを個別に検出し、前記動作制御信号生成手段は、前記方向検出手段から左方向への動きを検出すると、前記左方向に対応した左動作制御信号を生成する一方、前記方向検出手段から右方向への動きを検出すると、前記右方向に対応した右動作制御信号を生成し、また、前記方向検出手段から上方向への動きを検出すると、前記上方向に対応した上動作制御信号を生成する一方、前記方向検出手段から下方向への動きを検出すると、前記下方向に対応した下動作制御信号を生成し、前記表示制御手段は、前記受信手段により前記専用キーの操作信号を受信すると前記表示手段に横方向と縦方向に直交する２つの動作バーを表示するとともに、その交点に前記ポインタを表示し、前記受信手段により前記左動作制御信号を受信すると、前記ポインタを位置固定して前記横方向動作バーを右方向に移動し、前記受信手段により前記右動作制御信号を受信すると、前記ポインタを位置固定して前記横方向動作バーを左方向に移動し、前記受信手段により前記上動作制御信号を受信すると、前記ポインタを位置固定して前記縦方向動作バーを下方向に移動し、前記受信手段により前記下動作制御信号を受信すると、前記ポインタを位置固定して前記縦方向動作バーを上方向に移動することにより、前記横方向動作バー及び縦方向動作バーが常に前記ポインタで交差しながら２方向にそれぞれ移動することを特徴としている。
【００２７】
本発明によれば、方向検出手段は、専用キーが操作されたときの送信機本体の位置を原点として、送信機本体の左右方向と上下方向の２つの動きを個別に検出する。動作制御信号生成手段は、方向検出手段から左方向への動きを検出すると、左方向に対応した左動作制御信号を生成し、方向検出手段から右方向への動きを検出すると、右方向に対応した右動作制御信号を生成し、方向検出手段から上方向への動きを検出すると、上方向に対応した上動作制御信号を生成し、方向検出手段から下方向への動きを検出すると、下方向に対応した下動作制御信号を生成する。表示制御手段は、受信手段により専用キーの操作信号を受信すると表示手段に横方向と縦方向に直交する２つの動作バーを表示するとともに、その交点にポインタを表示する。そして、受信手段により左動作制御信号を受信すると、ポインタを位置固定して横方向動作バーを右方向に移動し、受信手段により右動作制御信号を受信すると、ポインタを位置固定して横方向動作バーを左方向に移動し、受信手段により上動作制御信号を受信すると、ポインタを位置固定して縦方向動作バーを下方向に移動し、受信手段により下動作制御信号を受信すると、ポインタを位置固定して縦方向動作バーを上方向に移動する。すなわち、横方向動作バー及び縦方向動作バーが常にポインタで交差しながら２方向にそれぞれ移動する構成としている。
【００２８】
具体的には、例えば横方向動作バーが音量のアップ・ダウンを示す棒状の動作バーであり、縦方向動作バーがチャンネルのアップ・ダウンを示す棒状の動作バーである場合、横方向動作バー上に所定の間隔で音量が数値で表記（例えば１から３０までの数値で表記）されており、縦方向動作バー上に所定の間隔で各チャンネルが数値で表記（例えば１チャンネルから１２チャンネルまでの数値で表記）されている。また、電子装置の現在の音量が１５であり、現在のチャンネルが６チャンネルである場合、縦方向動作バーと横方向動作バーとは、この音量１５の位置とチャンネル６の位置で交差するように配置されており、ポインタは、この２つの動作バーの交点上に位置している。そして、この状態でユーザが、送信機本体を例えば左方向に移動させると、ポインタは表示画面上で位置固定され、横方向動作バー側を逆方向である右方向に動かすことによって、ポインタのところに、音量１４と表記された数値が位置するまで横方向動作バーが移動する。一方、ユーザが送信機本体を右方向に移動させると、ポインタは表示画面上で位置固定され、横方向動作バー側を逆方向である左方向に動かすことによって、ポインタのところに、音量１６と表記された数値が位置するまで横方向動作バーが移動する。また、送信機本体を例えば上方向に移動させると、ポインタは表示画面上で位置固定され、縦方向動作バー側を逆方向である下方向に動かすことによって、ポインタのところに、チャンネル７と表記された数値が位置するまで縦方向動作バーが移動する。一方、ユーザが送信機本体を下方向に移動させると、ポインタは表示画面上で位置固定され、縦方向動作バー側を逆方向である上方向に動かすことによって、ポインタのところに、チャンネル５と表記された数値が位置するまで縦方向動作バーが移動する。これにより、ユーザは、送信機本体を左右方向または上下方向に移動させたことによるポインタの動きを目視により確認できるので、現在の音量が、０（すなわちミュート）から３０（すなわち最大）までの全音量レベルの中のどの程度の音量レベルであるのか、また、現在のチャンネル表示が何チャンネルであるのかを、単なる数値の確認だけでなく、動作バーの全長に対するポインタの位置によって直感的に（イメージ的に）把握することが可能となる。
【００２９】
また、本発明のリモコン送信機を備えた電子装置によれば、前記方向検出手段はさらに斜め方向の動きを検出し、前記動作制御信号生成手段は、前記方向検出手段から左斜め上方向への動きを検出すると、前記左方向に対応した左動作制御信号と前記上方向に対応した上動作制御信号とを生成する一方、前記方向検出手段から右斜め下方向への動きを検出すると、前記右方向に対応した右動作制御信号と前記下方向に対応した下動作制御信号とを生成し、また、前記方向検出手段から左斜め下方向への動きを検出すると、前記左方向に対応した左動作制御信号と前記下方向に対応した下動作制御信号とを生成する一方、前記方向検出手段から右斜め上方向への動きを検出すると、前記右方向に対応した右動作制御信号と前記上方向に対応した上動作制御信号を生成することを特徴としている。
【００３０】
本発明によれば、方向検出手段は、左右方向と上下方向とに加え、さらに斜め方向の動きも検出可能となっている。そして、動作制御信号生成手段は、方向検出手段から左斜め上方向への動きを検出すると、左方向に対応した左動作制御信号と上方向に対応した上動作制御信号とを生成し、方向検出手段から右斜め下方向への動きを検出すると、右方向に対応した右動作制御信号と下方向に対応した下動作制御信号とを生成し、方向検出手段から左斜め下方向への動きを検出すると、左方向に対応した左動作制御信号と下方向に対応した下動作制御信号とを生成し、方向検出手段から右斜め上方向への動きを検出すると、右方向に対応した右動作制御信号と上方向に対応した上動作制御信号とを生成する。
【００３１】
具体的には、例えば横方向動作バーが音量のアップ・ダウンを示す棒状の動作バーであり、縦方向動作バーがチャンネルのアップ・ダウンを示す棒状の動作バーである場合、横方向動作バー上に所定の間隔で音量が数値で表記（例えば１から３０までの数値で表記）されており、縦方向動作バー上に所定の間隔で各チャンネルが数値で表記（例えば１チャンネルから１２チャンネルまでの数値で表記）されている。また、電子装置の現在の音量が１５であり、現在のチャンネルが６チャンネルである場合、縦方向動作バーと横方向動作バーとは、この音量１５の位置とチャンネル６の位置で交差するように配置されており、ポインタは、この２つの動作バーの交点上に位置している。
【００３２】
そして、この状態でユーザが、送信機本体を例えば左斜め上方向に移動させると、縦方向動作バーが横方向動作バー上を左方向に動くことによって、縦方向動作バーが、音量１４の数値が表記されている横方向動作バー上に移動し、さらに、横方向動作バーが縦方向動作バー上を上方向に動くことによって、横方向動作バーが、チャンネル７の数値が表記されている縦方向動作バー上に移動する。すなわち、送信機本体を左斜め上方向に移動させることによって、音量を１５から１４に、チャンネルを６から７に同時に切り換えることが可能となる。この場合、ポインタは常に交差部上に位置している。
【００３３】
同様に、ユーザが、送信機本体を例えば右斜め下方向に移動させると、縦方向動作バーが横方向動作バー上を右方向に動くことによって、縦方向動作バーが、音量１６の数値が表記されている横方向動作バー上に移動し、さらに、横方向動作バーが縦方向動作バー上を下方向に動くことによって、横方向動作バーが、チャンネル５の数値が表記されている縦方向動作バー上に移動する。すなわち、送信機本体を右斜め下方向に移動させることによって、音量を１５から１６に、チャンネルを６から５に同時に切り換えることが可能となる。この場合、ポインタは常に交差部上に位置している。
【００３４】
同様に、ユーザが、送信機本体を例えば右斜め上方向に移動させると、縦方向動作バーが横方向動作バー上を右方向に動くことによって、縦方向動作バーが、音量１４の数値が表記されている横方向動作バー上に移動し、さらに、横方向動作バーが縦方向動作バー上を上方向に動くことによって、横方向動作バーが、チャンネル７の数値が表記されている縦方向動作バー上に移動する。すなわち、送信機本体を右斜め上方向に移動させることによって、音量を１５から１６に、チャンネルを６から７に同時に切り換えることが可能となる。この場合、ポインタは常に交差部上に位置している。
【００３５】
同様に、ユーザが、送信機本体を例えば左斜め下方向に移動させると、縦方向動作バーが横方向動作バー上を左方向に動くことによって、縦方向動作バーが、音量１４の数値が表記されている横方向動作バー上に移動し、さらに、横方向動作バーが縦方向動作バー上を下方向に動くことによって、横方向動作バーが、チャンネル５の数値が表記されている縦方向動作バー上に移動する。すなわち、送信機本体を左斜め下方向に移動させることによって、音量を１５から１４に、チャンネルを６から５に同時に切り換えることが可能となる。この場合、ポインタは常に交差部上に位置している。
【００３６】
なお、本発明のリモコン送信機を備えた電子装置において、前記方向検出手段として、角度センサまたはジャイロセンサなどを用いることが可能である。
【発明の効果】
【００３７】
本発明によれば、表示制御手段は、受信手段により専用キーの操作信号を受信すると、装置本体の現在の動作内容を動作バーとしてその動作内容の表記と共に表示手段に表示するとともに、表示された動作バー上の現在の動作状態に対応する位置にポインタを表示し、受信手段により送信機本体の動き方向に対応した動作制御信号を受信すると、その動作制御信号に従って動作バー上のポインタを移動させる構成としている。すなわち、ユーザは、送信機本体を移動させたことによるポインタと動作バーとの動きを目視により確認できるので、例えば現在の音量が全音量レベルの中のどの程度の音量レベルであるのか、また、現在のチャンネル表示が何チャンネルであるのかを、単なる数値の確認だけでなく、動作バーの全長に対するポインタの位置によって直感的に（イメージ的に）かつ容易に把握することができる。これにより、ユーザによるリモコン送信機の操作性を向上させることができる。
【図面の簡単な説明】
【００３８】
【図１】本発明のリモコン送信機を備えた電子装置の一実施形態であるテレビジョン受信装置の機能ブロック図である。
【図２】リモコン送信機の外観図である。
【図３】リモコン送信機の機能ブロック図である。
【図４】信号生成用テーブルの一例を示す説明図である。
【図５】実施例１に係るリモコン送信機の処理動作を示すフローチャートである。
【図６】実施例１に係る液晶テレビ装置の処理動作を示すフローチャートである。
【図７】実施例１に係る動作バーとポインタの画面表示例を示す説明図である。
【図８】実施例２に係る動作バーとポインタの画面表示例を示す説明図である。
【図９】実施例３に係るリモコン送信機の処理動作を示すフローチャートである。
【図１０】実施例３に係る液晶テレビ装置の処理動作を示すフローチャートである。
【図１１】実施例３に係る動作バーとポインタの画面表示例を示す説明図である。
【図１２】実施例４に係る動作バーとポインタの画面表示例を示す説明図である。
【図１３】実施例５に係るリモコン送信機の処理動作を示すフローチャートである。
【図１４】実施例５に係る液晶テレビ装置の処理動作を示すフローチャートである。
【図１５】実施例５に係る動作バーとポインタの画面表示例を示す説明図である。
【発明を実施するための形態】
【００３９】
以下、本発明の実施形態について、図面を参照して説明する。
【００４０】
図１は、本発明のリモコン送信機を備えた電子装置の一実施形態であるテレビジョン受信装置の機能ブロック図であり、ここでは液晶テレビ装置に適用した場合につい説明する。ただし、以下の実施形態は、本発明を具体化した一例であって、本発明の技術的範囲を限定するものではない。
【００４１】
本実施形態の液晶テレビ装置１は、大別すると、チューナ１０、映像信号処理部１２、ＯＳＤ処理部１４、液晶パネル１６、音声信号処理部１８、スピーカ２０、マイコン２２、リモコン送信機３０からのリモコン信号（動作制御信号）を受信するリモコン受信部２４、液晶パネル１６の背面から光を照射するバックライト２６、バックライト２６に電圧を供給して駆動するインバータ回路２８、マイコン２２による制御時に各種時間を計測するタイマー回路２９を含んで構成されている。
【００４２】
上記構成において、チューナ１０は、マイコン２２の制御により、アンテナ１０ａを介してテレビジョン放送信号を受信し、所定の信号増幅処理等を行いつつテレビジョン放送信号から中間周波信号としての映像信号を抽出し、映像信号処理部１２へ出力する。
【００４３】
映像信号処理部１２は、入力された映像信号をその信号レベルに応じてデジタル信号化するとともに、映像信号から抽出した輝度信号と色差信号とに基づいてマトリクス変換処理を行い、画像データとしてのＲＧＢ（レッド、グリーン、ブルー）信号を生成する。そして、このＲＧＢ信号に対して液晶パネル１６の画素数（横縦比、ｍ：ｎ）に合わせたスケーリング処理を行い、液晶パネル１６に表示する１画面分の画像データを生成する。このように生成された画像データを液晶パネル１６に出力することにより、液晶パネル１６に画像データに基づく画像が表示される。
【００４４】
ＯＳＤ処理部１４は、映像信号処理部１２から入力される画像データにオンスクリーンディスプレイ信号（ＯＳＤ信号）を重畳することにより、映像に所定の静止画像を重ねて表示したり、所定の静止画像を差し替えて表示する等の処理を行うことができる。より具体的には、ＯＳＤ処理部１４に文字情報等のデ−タがマイコン２２から入力されると、この文字情報等のデ−タに基づいて静止画像を生成して画像データに重畳して、ＯＳＤ信号の重畳された画像データを液晶パネル１６に出力する。マイコン２２から文字情報等のデ−タ入力がないときは、映像信号処理部１２から入力された画像データをそのまま液晶パネル１６に出力する。
【００４５】
液晶パネル１６は、各画素を駆動するパネル駆動回路を備えており、ＯＳＤ処理部１４から入力される画像データに従って液晶パネル１６の各表示セルを駆動して、画面に映像を表示する。
【００４６】
インバータ回路２８は、図示しない電源回路から直流電圧が供給され、この電源回路から供給された直流電圧を高圧の交流電圧に変換し、駆動信号としての当該交流電圧をバックライト２６に供給する。なお、電源回路は、外部の商用電源等から電源電圧（交流）の供給を受けて必要に応じて電圧を交流から直流へと変換し、この供給された電源電圧をマイコン２２やインバータ回路２８等の各回路へ供給する。
【００４７】
バックライト２６は、放電灯としての複数の蛍光管を有し、液晶パネル１６を背面から照射する光源の役割を果たす。つまり、バックライト２６は、インバータ回路２８から供給される高電圧で点灯され、液晶パネル１６の背後から光を照射する。本実施形態では、バックライトとして冷陰極蛍光管を用いている。
【００４８】
マイコン２２は、液晶テレビ装置１を構成する各部と電気的に接続されており、マイコン２２内部の構成部品としてのＣＰＵが、同じくマイコン２２内の構成部品であるＲＯＭやＲＡＭなどに書き込まれた各プログラムに従って、液晶テレビ装置１全体を制御する。ＣＰＵやＲＯＭやＲＡＭについては図示を省略している。
【００４９】
具体的には、マイコン２２は、ＣＰＵの制御により、リモコン受信部２４から電圧信号を入力して対応するキー操作を検知するとリモコン送信機３０からのリモコン信号を受け付け、受け付けたリモコン信号に対応した制御を行う。
【００５０】
また、マイコン２２は、映像信号処理部１２に対しては映像信号処理を指示する制御信号を出力し、音声信号処理部１８に対しては音声信号処理及び音声信号出力レベルを指示する制御信号を出力し、ＯＳＤ処理部１４に対しては画像データに文字または図形を重畳して表示するＯＳＤ信号の生成と画像データへの重畳とを指示する制御信号を出力し、インバータ回路２８に対してはバックライト２６の点灯または消灯するための制御信号を出力している。
【００５１】
図２は、リモコン送信機３０の外観構成を示している。
リモコン送信機３０は、略直方体形状の送信機本体３０Ａを備え、液晶テレビ装置１の各種動作を指示するためにユーザに押下操作される操作ボタンとして、電源ボタン３１、数字ボタン３２、メニューボタン３３、データボタン３４、音量アップ・ダウンボタン３５、チャンネルアップ・ダウンボタン３６、カーソルボタン３７ａ〜３７ｄ、決定ボタン３８、及び本発明の特徴である専用ボタン３９等を備えている。また、これらの操作ボタンの操作に応じて動作制御信号である赤外線コード信号を送出するリモコン送信部の一部を構成する投光部４０を備えている。
【００５２】
電源ボタン３１は、液晶テレビ装置１の電源をオン・オフするためのボタンである。数字ボタン３２は、数値を選択するためのボタンであり、テレビ放送の番組の選局等に利用される。メニューボタン３３は、液晶テレビ装置１の各種設定を行うための設定メニュー画面を液晶パネル１６に表示するためのボタンである。
【００５３】
データボタン３４は、データ放送によるデータコンテンツを選択するためのデータ放送メニュー画面（例えば視聴可能なデータコンテンツの一覧等から成る画面）を液晶パネル１６に表示するためのボタンである。カーソルボタン３７ａ〜３７ｄは、設定メニュー画面やデータ放送メニュー画面上に表示されるカーソルを移動させて項目を選択するためのボタンであり、決定ボタン３８は、カーソルボタン３７ａ〜３７ｄによる項目の選択を決定するためのボタンである。
【００５４】
専用ボタン３９は、リモコン送信機３０を、送信機本体３０Ａの動きに応じて液晶テレビ装置１に対する動作制御信号を生成する動作制御信号生成モードに移行させるためのボタンである。
【００５５】
リモコン送信機３０は、これらの操作ボタンの操作に応じて、その操作に対応付けられた動作制御信号（赤外線コード信号）を投光部４０から送出する。マイコン２２は、リモコン送信機３０の各操作ボタンに対応した動作制御信号を受けて、液晶テレビ装置１の動作を制御する。
【００５６】
図３は、上記構成のリモコン送信機３０の機能ブロック図である。
【００５７】
リモコン送信機３０の送信機本体３０Ａ内には、方向検出部４１、動作制御信号生成部４２、制御部４３、各ボタン操作によるキー信号を入力するキー入力部４４、投光部４０を含むリモコン送信部４５が収容されている。
【００５８】
方向検出部４１は、送信機本体３０Ａの動き方向及び動く角度を検出するものであり、角度センサやジャイロセンサ等によって構成されている。なお、送信機本体３０Ａの動き方向及び動く角度を検出する手法については、これらの角度センサやジャイロセンサ等を用いて従来周知の手法によって検出可能であり、例えば上記した特許文献３に記載のリモコン装置の検出手法を用いることも可能であるので、ここではその検出手法についての説明を省略する。なお、方向検出部１とし角度センサを用いる場合には、左右方向用の角度センサと上下方向用の角度センサの２つの角度センサを用いればよい。
【００５９】
動作制御信号生成部４２は、方向検出部４１によって検出された送信機本体３０Ａの動き方向に対応させた動作制御信号を生成する。すなわち、動作制御信号生成部４２には信号生成用テーブルが格納されており、この信号生成用テーブルは、送信機本体３０Ａの移動方向と、各方向の移動が行われた場合に液晶テレビ装置１に送信すべき動作制御信号の内容とが予め対応付けられている。例えば、図４に示す信号生成用テーブルの例では、動き方向の項目と動作制御信号の項目とが対応付けられており、左方向の動きに対して音量ダウン、右方向の動きに対して音量アップ、上方向の動きに対してチャンネルアップ、下方向の動きに対してチャンネルダウンの動作制御信号がそれぞれ対応付けられている。ただし、信号生成用テーブルは任意に作成可能であり、このような音量アップ・ダウンやチャンネルアップ・ダウンに限定されるものではない。
【００６０】
制御部４３は、各ボタン操作によるキー信号を液晶テレビ装置１に対応した動作制御信号に変換してリモコン送信部４５から送信するとともに、動作制御信号生成部４３で生成された動作制御信号をリモコン送信部４５から送信する。また、制御部４３は、専用ボタン３９が押し下げされたことを示す操作信号が入力されると、送信機本体３０Ａの動きに応じた動作制御信号を生成する動作制御信号生成モードに移行する。すなわち、専用ボタン３９が押し下げされると、専用ボタン３９が押し下げされたことを示す操作信号をリモコン送信部４５から液晶テレビ装置１に送信するとともに、専用ボタン３９が押し下げされている間だけ、動作制御信号生成部４２及び方向検出部４１を起動する。すなわち、専用ボタン３９が押し下げされている間だけ、方向検出部４１によって検出された動き方向に対応させて動作制御信号を生成し、リモコン送信部４５から液晶テレビ装置１に送信する。
【００６１】
一方、液晶テレビ装置１のマイコン２２は、リモコン受信部２４を介してリモコン送信機３０から専用キー３９の操作信号を受信すると、液晶パネル１６に動作バーを表示するとともに、表示された動作バー上の現在の動作状態に対応する位置にポインタを表示する。そして、リモコン受信部２４を介してリモコン送信機３０の動き方向に対応した動作制御信号を受信すると、その動作制御信号に従って動作バーまたは動作バー上のポインタを移動させる制御を行うようになっている。すなわち、マイコン２２は、ＯＳＤ処理部１４を介して、液晶テレビ装置１の現在の動作内容を動作バーとしてその動作内容の表記と共に液晶パネル１６に表示する表示制御手段として機能する。
【００６２】
次に、リモコン送信機３０の専用ボタン３９が押し下げされたことによる動作制御信号生成モード時のリモコン送信機３０の処理動作及び液晶テレビ装置１の処理動作について具体的に実施例を示して説明する。
【００６３】
＜実施例１＞
【００６４】
本実施例１は、液晶パネル１６の画面に横方向に延びた１つの動作バーを表示し、送信機本体３０Ａの動き方向に対応した動作制御信号を受信すると、その動作制御信号に従って動作バー上のポインタを移動させる実施例である。本実施例１では、動作制御信号として、音量のアップ・ダウンを指示する信号を例に挙げて説明する。
【００６５】
以下、図５及び図６に示すフローチャート及び図７に示す画面表示例を参照して、本実施例１に係る動作制御信号生成モード時のリモコン送信機３０の処理動作及び液晶テレビ装置１の処理動作を説明する。ただし、図５はリモコン送信機３０の処理動作を示すフローチャート、図６は液晶テレビ装置１の処理動作を示すフローチャートである。
【００６６】
リモコン送信機３０の制御部４３は、専用ボタン３９が押し下げされたか否かを常に監視している（ステップＳ１０１）。そして、ユーザがリモコン送信機３０の専用ボタン３９を押し下げることによって、その操作信号がキー入力部４４を介して制御部４３に入力されると（ステップＳ１０１でＹｅｓと判断されると）、制御部４３は、その操作信号をリモコン送信部４５から液晶テレビ装置１に送信するとともに（ステップＳ１０２）、リモコン送信機３０を、送信機本体３０Ａの動きに応じた動作制御信号（音量のアップ・ダウン信号）を生成する動作制御信号生成モードに移行する（ステップＳ１０３）。すなわち、制御部４３は、専用ボタン３９が押し下げされている間だけ、動作制御信号生成部４２及び方向検出部４１を起動して、送信機本体３０Ａの動き検出を有効とする。また、制御部４３は、専用ボタン３９が押し下げされたときの送信機本体３０Ａの姿勢を原点位置として記憶する。通常、専用ボタン３９が押し下げされたときの送信機本体３０Ａの姿勢は、リモコン送信機３０のリモコン送信部４５が液晶テレビ装置１のリモコン受信部２４に向いた状態となっている。
【００６７】
一方、液晶テレビ装置１のマイコン２２は、リモコン受信部２４を介して専用ボタン３９の操作信号を受信したか否かを常に監視している（ステップＳ５０１）。そして、専用ボタン３９の操作信号を受信すると（ステップＳ５０１でＹｅｓと判断されると）、液晶パネル１６に音量アップ・ダウンの動作バーを表示するとともに、表示された動作バー上の現在の動作状態（音量レベル）に対応する位置にポインタを表示する（ステップＳ５０２）。
【００６８】
図７（ａ）は、このときの液晶パネル１６の表示画面例を示している。この例では、画面の下に、音量のアップ・ダウンを示す横棒状の動作バー５０が表示されている。この動作バー５０上には、所定の間隔で音量が数値で表記（例えば１から３０までの数値で表記）されており、この例では画面左側が最小音量０、画面右側が最大音量３０となっている。また、現在の音量の動作内容を示すポインタ５１は、現在の音量が１５である場合には、１５の数値が表記されている動作バー５０上の位置に表記されている。
【００６９】
一方、リモコン送信機３０が動作制御信号生成モードに移行した状態（ステップＳ１０４でＮｏと判断された状態）で、ユーザが送信機本体３０Ａを前記原点位置から例えば左方向に移動させると、方向検出部４１がこの送信機本体３０Ａの動きを検出し（ステップＳ１０５）、その動き方向を判別する（ステップＳ１０６）。その結果、送信機本体３０Ａが左方向に移動したと判別すると、次に、その移動角度が予め設定されている一定角度（例えば２度等）移動したか否かを判断する（ステップＳ１０７）。そして、送信機本体３０Ａが左方向に一定角度移動したと判断すると（ステップＳ１０７でＹｅｓと判断されると）、これを受けて動作制御信号生成部４２は、信号生成用テーブルを参照して左方向の移動に対応した音量ダウンを指示する動作制御信号を生成する（ステップＳ１０８）。すなわち、この動作制御信号は、リモコン送信機３０Ａの音量ダウンボタン３５ｂを操作したときに生成される動作制御信号と同じである。制御部４３は、この生成された動作制御信号をリモコン送信部４５を介して液晶テレビ装置１のリモコン受信部２４に向けて送信する（ステップＳ１０９）。この後、送信機本体３０Ａの左方向への移動が停止したか否かを判断し（ステップＳ１１０）、移動が停止していなければステップＳ１０７に戻って、送信機本体３０Ａの移動処理を継続する。すなわち、左方向への移動が継続して行われると、動作制御信号生成部４２では、送信機本体３０Ａが２度移動するたびに音量ダウンを指示する動作制御信号を生成し、制御部４３は、生成された動作制御信号をその都度液晶テレビ装置１側に送信することになる。一方、送信機本体３０Ａの移動が停止すると（ステップＳ１１０でＹｅｓと判断されると）、ステップＳ１０４に戻って専用ボタン３９の押し下げが解除されたか否かを判断し、解除されている場合には、解除信号を液晶テレビ装置１に送信して（ステップＳ１１５）、動作制御信号生成モードを終了する（ステップＳ１１６）。
【００７０】
一方、液晶テレビ装置１のマイコン２２は、図７（ａ）に示すように動作バー５０を液晶パネル１６の画面に表示した状態で、リモコン送信機３０から動作制御信号が送信されてきたか否か（ステップＳ５０３）、及び、リモコン送信機３０から専用ボタン３９の押し下げ解除信号が送信されてきたか否か（ステップＳ５０５）を監視する。そして、動作制御信号が送信されてくると（ステップＳ５０３でＹｅｓと判断されると）、その動作制御信号に従ってポインタ５１を移動させる。すなわち、この場合には、動作制御信号が音量ダウンを指示する信号であるので、ポインタ５１を動作バー５０上で左方向に移動させる。その結果、図７（ｂ）に示すように、ポインタ５１が、動作バー５０上の数値１４と表記されている位置に移動することになる。この後、図示は省略するが、音量ダウンを指示する動作制御信号を受信するたびに、動作バー５０上のポインタ５１が、音量１４から音量１３へ、音量１３から音量１２へと、順次左方向に移動することになる。
【００７１】
一方、リモコン送信機３０が動作制御信号生成モードに移行した状態（ステップＳ１０４でＮｏと判断された状態）で、ユーザが送信機本体３０Ａを前記原点位置から右方向に移動させると、方向検出部４１がこの送信機本体３０Ａの動きを検出し（ステップＳ１０５）、その動き方向を判別する（ステップＳ１０６）。その結果、送信機本体３０Ａが右方向に移動したと判別すると、次に、その移動角度が予め設定されている一定角度（例えば２度等）移動したか否かを判断する（ステップＳ１１１）。そして、送信機本体３０Ａが右方向に一定角度移動したと判断すると（ステップＳ１１１でＹｅｓと判断されると）、これを受けて動作制御信号生成部４２は、信号生成用テーブルを参照して右方向の移動に対応した音量アップを指示する動作制御信号を生成する（ステップＳ１１２）。すなわち、この動作制御信号は、リモコン送信機３０Ａの音量アップボタン３５ａを操作したときに生成される動作制御信号と同じである。制御部４３は、この生成された動作制御信号をリモコン送信部４５を介して液晶テレビ装置１のリモコン受信部２４に向けて送信する（ステップＳ１１３）。この後、送信機本体３０Ａの右方向への移動が停止したか否かを判断し（ステップＳ１１４）、移動が停止していなければステップＳ１１１に戻って、送信機本体３０Ａの移動処理を継続する。すなわち、右方向への移動が継続して行われると、動作制御信号生成部４２では、送信機本体３０Ａが２度移動するたびに音量アップを指示する動作制御信号を生成し、制御部４３は、生成された動作制御信号をその都度液晶テレビ装置１側に送信することになる。一方、送信機本体３０Ａの移動が停止すると（ステップＳ１１４でＹｅｓと判断されると）、ステップＳ１０４に戻って専用ボタン３９の押し下げが解除されたか否かを判断し、解除されている場合には、解除信号を液晶テレビ装置１に送信して（ステップＳ１１５）、動作制御信号生成モードを終了する（ステップＳ１１６）。
【００７２】
一方、液晶テレビ装置１のマイコン２２は、図７（ａ）に示すように動作バー５０を液晶パネル１６の画面に表示した状態で、リモコン送信機３０から動作制御信号が送信されてきたか否か（ステップＳ５０３）、及び、リモコン送信機３０から専用ボタン３９の押し下げ解除信号が送信されてきたか否か（ステップＳ５０５）を監視する。そして、動作制御信号が送信されてくると（ステップＳ５０３でＹｅｓと判断されると）、その動作制御信号に従ってポインタ５１を移動させる。すなわち、この場合には、動作制御信号が音量アップを指示する信号であるので、ポインタ５１を動作バー５０上で右方向に移動させる。その結果、図７（ｃ）に示すように、ポインタ５１が、動作バー５０上の数値１６と表記されている位置に移動することになる。この後、図示は省略するが、音量アップを指示する動作制御信号を受信するたびに、動作バー５０上のポインタ５１が、音量１６から音量１７へ、音量１７から音量１８へと、順次右方向に移動することになる。
【００７３】
なお、液晶テレビ装置１のマイコン２２は、上記のように動作バーの表示処理を行っている場合において、リモコン送信機３０から専用ボタン３９の押し下げが解除されたことを示す解除信号を受信すると（ステップＳ５０５でＹｅｓと判断されると）、動作レバーの表示を終了する（ステップＳ５０６）。
【００７４】
このように、本実施例１によれば、ユーザは、送信機本体３０Ａを左または右に移動させたことによるポインタ５１の動きを動作バー５０上で目視により確認できるので、現在の音量が、０（すなわちミュート）から３０（すなわち最大）までの全音量レベルの中のどの程度の音量レベルであるのかを、単なる数値の確認だけでなく、動作バー５０の全長に対するポインタ５１の位置によって直感的に（イメージ的に）把握することが可能となる。
【００７５】
＜実施例２＞
【００７６】
上記実施例１では、送信機本体３０Ａの動きに応じて動作バー５０上のポインタ５１を移動させているが、本実施例２では、送信機本体３０Ａの動きに応じてポインタ５１は位置固定とし、動作バー５０側を移動させる実施例である。
【００７７】
すなわち、この場合のリモコン送信機３０での処理動作は上記実施例１と全く同じであるので、ここではリモコン送信機３０の処理動作の説明は省略する。また、液晶テレビ装置１の処理動作についても、そのほとんどは上記実施例１で説明した処理動作と同じであり、違うところは図６のステップＳ５０４の処理である。すなわち、本実施例２では、ステップＳ５０４に対応する処理が、動作制御信号に従って動作バーを移動する処理となる。
【００７８】
以下、図６に示した実施例１での液晶テレビ装置１の処理動作を用いて、本実施例２での液晶テレビ装置１の処理動作を説明する。また、図８は、本実施例２に係る液晶パネル１６の画面表示例である。
【００７９】
すなわち、液晶テレビ装置１のマイコン２２は、リモコン受信部２４を介して専用ボタン３９の操作信号を受信したか否かを常に監視している（ステップＳ５０１）。そして、専用ボタン３９の操作信号を受信すると（ステップＳ５０１でＹｅｓと判断されると）、液晶パネル１６に音量アップ・ダウンの動作バーを表示するとともに、表示された動作バー上の現在の動作状態（音量レベル）に対応する位置にポインタを表示する（ステップＳ５０２）。
【００８０】
図８（ａ）は、このときの液晶パネル１６の表示画面例を示している。この例では、画面の下に、音量のアップ・ダウンを示す横棒状の動作バー５０が表示されている。この動作バー５０上には、所定の間隔で音量が数値で表記（例えば１から３０までの数値で表記）されており、この例では画面左側が最小音量０、画面右側が最大音量３０となっている。また、現在の音量の動作内容を示すポインタ５１は、現在の音量が１５である場合には、１５の数値が表記されている動作バー５０上の位置に表記されている。ただし、本実施例２では、ポインタ５１の位置は左右方向の画面中央部で位置固定となっている。
【００８１】
マイコン２２は、図８（ａ）に示すように動作バー５０を液晶パネル１６の画面に表示した状態で、リモコン送信機３０から動作制御信号が送信されてきたか否か（ステップＳ５０３）、及び、リモコン送信機３０から専用ボタン３９の押し下げ解除信号が送信されてきたか否か（ステップＳ５０５）を監視する。そして、動作制御信号が送信されてくると（ステップＳ５０３でＹｅｓと判断されると）、その動作制御信号に従ってポインタ５１を移動させる（ステップＳ５０４）。すなわち、動作制御信号が音量ダウンを指示する信号である場合には、ポインタ５１を中央部で位置固定とし、動作バー５０を右方向に移動させる（ステップＳ５０４に対応）。その結果、図８（ｂ）に示すように、ポインタ５１のところに、音量１４と表記された数値が位置するまで動作バー５０を右方向に移動することになる。この後、図示は省略するが、音量ダウンを指示する動作制御信号を受信するたびに、中央部で位置固定されたポインタ５１のところに、動作バー５０の音量１３が位置し、次に音量１２が位置するように、動作バー５１を順次右方向に移動することになる。
【００８２】
一方、図８（ａ）に示すように動作バー５０を液晶パネル１６の画面に表示した状態で、動作制御信号が音量アップを指示する信号を受信した場合（ステップＳ５０３でＹｅｓと判断された場合）には、マイコン２２は、ポインタ５１を中央部で位置固定とし、動作バー５０を左方向に移動させる。その結果、図８（ｃ）に示すように、ポインタ５１のところに、音量１６と表記された数値が位置するまで動作バー５０を左方向に移動することになる。この後、図示は省略するが、音量アップを指示する動作制御信号を受信するたびに、中央部で位置固定されたポインタ５１のところに、動作バー５０の音量１７が位置し、次に音量１８が位置するように、動作バー５１を順次左方向に移動することになる。
【００８３】
このように、本実施例２によれば、ユーザは、送信機本体３０Ａを左または右に移動させたことによるポインタ５１に対する動作バー５０の動きを液晶パネル１６の画面上で目視により確認できるので、現在の音量が、０（すなわちミュート）から３０（すなわち最大）までの全音量レベルの中のどの程度の音量レベルであるのかを、単なる数値の確認だけでなく、動作バー５０の全長に対するポインタ５１の位置（すなわち、ポインタ５１の位置に対する動作バー５０の左右の長さ）によって直感的に（イメージ的に）把握することが可能となる。
【００８４】
＜実施例３＞
【００８５】
本実施例３は、液晶パネル１６の画面に横方向に延びた１つの動作バーと、この動作バーに直交する縦方向に延びた他の一つの動作バーとを表示し、送信機本体３０Ａの動き方向に対応した動作制御信号を受信すると、その動作制御信号に従って動作バー上のポインタを移動させる実施例である。本実施例３では、動作制御信号として、音量のアップ・ダウンを指示する制御信号と、チャンネルのアップ・ダウンを指示する制御信号の２つの信号を例に挙げて説明する。
【００８６】
以下、図９及び図１０に示すフローチャート及び図１１に示す画面表示例を参照して、本実施例３に係る動作制御信号生成モード時のリモコン送信機３０の処理動作及び液晶テレビ装置１の処理動作を説明する。ただし、図９はリモコン送信機３０の処理動作を示すフローチャート、図１０は液晶テレビ装置１の処理動作を示すフローチャートである。
【００８７】
リモコン送信機３０の制御部４３は、専用ボタン３９が押し下げされたか否かを常に監視している（ステップＳ２０１）。そして、ユーザがリモコン送信機３０の専用ボタン３９を押し下げることによって、その操作信号がキー入力部４４を介して制御部４３に入力されると（ステップＳ２０１でＹｅｓと判断されると）、制御部４３は、その操作信号をリモコン送信部４５から液晶テレビ装置１に送信するとともに（ステップＳ２０２）、リモコン送信機３０を、送信機本体３０Ａの動きに応じた動作制御信号を生成する動作制御信号生成モードに移行する（ステップＳ２０３）。すなわち、制御部４３は、専用ボタン３９が押し下げされている間だけ、動作制御信号生成部４２及び方向検出部４１を起動して、送信機本体３０Ａの動き検出を有効とする。また、制御部４３は、専用ボタン３９が押し下げされたときの送信機本体３０Ａの姿勢を原点位置として記憶する。通常、専用ボタン３９が押し下げされたときの送信機本体３０Ａの姿勢は、リモコン送信機３０のリモコン送信部４５が液晶テレビ装置１のリモコン受信部２４に向いた状態となっている。
【００８８】
一方、液晶テレビ装置１のマイコン２２は、リモコン受信部２４を介して専用ボタン３９の操作信号を受信したか否かを常に監視している（ステップＳ６０１）。そして、専用ボタン３９の操作信号を受信すると（ステップＳ６０１でＹｅｓと判断されると）、液晶パネル１６に動作バーを表示する（ステップＳ６０２）。すなわち、本実施例３では、音量アップ・ダウンを示す横方向動作バーと、チャンネルアップ・ダウンを示す縦方向動作バーとを、音量及びチャンネルが現在の状態を示す位置で交差するように配置して表示するとともに、その交差部にポインタを表示する。
【００８９】
図１１（ａ）は、このときの液晶パネル１６の表示画面例を示している。この例では、音量のアップ・ダウンを示す棒状の横方向動作バー５２と、チャンネルアップ・ダウンを示す縦方向動作バー５３とが、音量及びチャンネルが現在の状態を示す位置で交差するように配置して表示されるとともに、その交差部にポインタ５４が表示されている。横方向動作バー５２には、所定の間隔で音量が数値で表記（例えば０から３０までの数値で表記）されており、この例では画面左側が最小音量０、画面右側が最大音量３０となっている。また、縦方向動作バー５３には、所定の間隔でチャンネルが数値で表示（例えば１から１２までの数値で表記）されており、この例では画面上側が１２チャンネル、画面下側が１チャンネルとなっている。この例では、現在の音量が１５、現在の受信チャンネルが６チャンネルとなっている。
【００９０】
一方、リモコン送信機３０が動作制御信号生成モードに移行した状態（ステップＳ２０４でＮｏと判断された状態）で、ユーザが送信機本体３０Ａを前記原点位置から例えば左方向に移動させると、方向検出部４１がこの送信機本体３０Ａの動きを検出し（ステップＳ２０５）、その動き方向を判別する（ステップＳ２０６）。その結果、送信機本体３０Ａが左方向に移動したと判別すると、次に、その移動角度が予め設定されている一定角度（例えば２度等）移動したか否かを判断する（ステップＳ２０７）。そして、送信機本体３０Ａが左方向に一定角度移動したと判断すると（ステップＳ２０７でＹｅｓと判断されると）、これを受けて動作制御信号生成部４２は、信号生成用テーブルを参照して左方向の移動に対応した音量ダウンを指示する動作制御信号を生成する（ステップＳ２０８）。すなわち、この動作制御信号は、リモコン送信機３０Ａの音量ダウンボタン３５ｂを操作したときに生成される動作制御信号と同じである。制御部４３は、この生成された動作制御信号をリモコン送信部４５を介して液晶テレビ装置１のリモコン受信部２４に向けて送信する（ステップＳ２０９）。この後、送信機本体３０Ａの左方向への移動が停止したか否かを判断し（ステップＳ２１０）、移動が停止していなければステップＳ２０７に戻って、送信機本体３０Ａの移動処理を継続する。すなわち、左方向への移動が継続して行われると、動作制御信号生成部４２では、送信機本体３０Ａが２度移動するたびに音量ダウンを指示する動作制御信号を生成し、制御部４３は、生成された動作制御信号をその都度液晶テレビ装置１側に送信することになる。一方、送信機本体３０Ａの移動が停止すると（ステップＳ２１０でＹｅｓと判断されると）、ステップＳ２０４に戻って専用ボタン３９の押し下げが解除されたか否かを判断し、解除されている場合には、解除信号を液晶テレビ装置１に送信して（ステップＳ２２３）、動作制御信号生成モードを終了する（ステップＳ２２４）。
【００９１】
一方、液晶テレビ装置１のマイコン２２は、図１１（ａ）に示すように各動作バー５２，５３を液晶パネル１６の画面に表示した状態で、リモコン送信機３０から動作制御信号が送信されてきたか否か（ステップＳ６０３）、及び、リモコン送信機３０から専用ボタン３９の押し下げ解除信号が送信されてきたか否か（ステップＳ６０５）を監視する。そして、動作制御信号が送信されてくると（ステップＳ６０３でＹｅｓと判断されると）、その動作制御信号に従ってポインタ５４とともに一方の動作バーを移動させる（ステップＳ６０４）。すなわち、この場合には、動作制御信号が音量ダウンを指示する信号であるので、ポインタ５４を縦方向動作バー５３と共に横方向動作バー５２に沿って左方向に移動させる。その結果、図１１（ｂ）に示すように、ポインタ５４及び縦方向動作バー５３の現在受信チャンネルを示すチャンネル６の数値部分が、横方向動作バー５２の音量１４の数値が表記されている位置に移動することになる。この後、図示は省略するが、音量ダウンを指示する動作制御信号を受信するたびに、ポインタ５４及び縦方向動作バー５３が、横方向動作バー５２の音量１４から音量１３へ、音量１３から音量１２へと、順次左方向に移動することになる。
【００９２】
一方、リモコン送信機３０が動作制御信号生成モードに移行した状態（ステップＳ２０４でＮｏと判断された状態）で、ユーザが送信機本体３０Ａを前記原点位置から例えば右方向に移動させると、方向検出部４１がこの送信機本体３０Ａの動きを検出し（ステップＳ２０５）、その動き方向を判別する（ステップＳ２０６）。その結果、送信機本体３０Ａが右方向に移動したと判別すると、次に、その移動角度が予め設定されている一定角度（例えば２度等）移動したか否かを判断する（ステップＳ２１１）。そして、送信機本体３０Ａが左方向に一定角度移動したと判断すると（ステップＳ２１１でＹｅｓと判断されると）、これを受けて動作制御信号生成部４２は、信号生成用テーブルを参照して右方向の移動に対応した音量アップを指示する動作制御信号を生成する（ステップＳ２１２）。すなわち、この動作制御信号は、リモコン送信機３０Ａの音量アップボタン３５ａを操作したときに生成される動作制御信号と同じである。制御部４３は、この生成された動作制御信号をリモコン送信部４５を介して液晶テレビ装置１のリモコン受信部２４に向けて送信する（ステップＳ２１３）。この後、送信機本体３０Ａの右方向への移動が停止したか否かを判断し（ステップＳ２１４）、移動が停止していなければステップＳ２１１に戻って、送信機本体３０Ａの移動処理を継続する。すなわち、右方向への移動が継続して行われると、動作制御信号生成部４２では、送信機本体３０Ａが２度移動するたびに音量アップを指示する動作制御信号を生成し、制御部４３は、生成された動作制御信号をその都度液晶テレビ装置１側に送信することになる。一方、送信機本体３０Ａの移動が停止すると（ステップＳ２１４でＹｅｓと判断されると）、ステップＳ２０４に戻って専用ボタン３９の押し下げが解除されたか否かを判断し、解除されている場合には、解除信号を液晶テレビ装置１に送信して（ステップＳ２２３）、動作制御信号生成モードを終了する（ステップＳ２２４）。
【００９３】
一方、液晶テレビ装置１のマイコン２２は、図１１（ａ）に示すように各動作バー５２，５３を液晶パネル１６の画面に表示した状態で、リモコン送信機３０から動作制御信号が送信されてきたか否か（ステップＳ６０３）、及び、リモコン送信機３０から専用ボタン３９の押し下げ解除信号が送信されてきたか否か（ステップＳ６０５）を監視する。そして、動作制御信号が送信されてくると（ステップＳ６０３でＹｅｓと判断されると）、その動作制御信号に従ってポインタ５４とともに一方の動作バーを移動させる。すなわち、この場合には、動作制御信号が音量アップを指示する信号であるので、ポインタ５４を縦方向動作バー５３と共に横方向動作バー５２に沿って右方向に移動させる。その結果、図１１（ｃ）に示すように、ポインタ５４及び縦方向動作バー５３が、横方向動作バー５２の音量１４の数値が表記されている位置に移動することになる。この後、図示は省略するが、音量アップを指示する動作制御信号を受信するたびに、ポインタ５４及び縦方向動作バー５３が、横方向動作バー５２の音量１６から音量１７へ、音量１７から音量１８へと、順次右方向に移動することになる。
【００９４】
一方、リモコン送信機３０が動作制御信号生成モードに移行した状態（ステップＳ２０４でＮｏと判断された状態）で、ユーザが送信機本体３０Ａを前記原点位置から例えば上方向に移動させると、方向検出部４１がこの送信機本体３０Ａの動きを検出し（ステップＳ２０５）、その動き方向を判別する（ステップＳ２０６）。その結果、送信機本体３０Ａが上方向に移動したと判別すると、次に、その移動角度が予め設定されている一定角度（例えば２度等）移動したか否かを判断する（ステップＳ２１５）。そして、送信機本体３０Ａが上方向に一定角度移動したと判断すると（ステップＳ２１５でＹｅｓと判断されると）、これを受けて動作制御信号生成部４２は、信号生成用テーブルを参照して上方向の移動に対応したチャンネルアップを指示する動作制御信号を生成する（ステップＳ２１６）。すなわち、この動作制御信号は、リモコン送信機３０Ａのチャンネルアップ３６ａを操作したときに生成される動作制御信号と同じである。制御部４３は、この生成された動作制御信号をリモコン送信部４５を介して液晶テレビ装置１のリモコン受信部２４に向けて送信する（ステップＳ２１７）。この後、送信機本体３０Ａの上方向への移動が停止したか否かを判断し（ステップＳ２１８）、移動が停止していなければステップＳ２１５に戻って、送信機本体３０Ａの移動処理を継続する。すなわち、上方向への移動が継続して行われると、動作制御信号生成部４２では、送信機本体３０Ａが２度移動するたびにチャンネルアップを指示する動作制御信号を生成し、制御部４３は、生成された動作制御信号をその都度液晶テレビ装置１側に送信することになる。一方、送信機本体３０Ａの移動が停止すると（ステップＳ２１８でＹｅｓと判断されると）、ステップＳ２０４に戻って専用ボタン３９の押し下げが解除されたか否かを判断し、解除されている場合には、解除信号を液晶テレビ装置１に送信して（ステップＳ２２３）、動作制御信号生成モードを終了する（ステップＳ２２４）。
【００９５】
一方、液晶テレビ装置１のマイコン２２は、図１１（ａ）に示すように各動作バー５２，５３を液晶パネル１６の画面に表示した状態で、リモコン送信機３０から動作制御信号が送信されてきたか否か（ステップＳ６０３）、及び、リモコン送信機３０から専用ボタン３９の押し下げ解除信号が送信されてきたか否か（ステップＳ６０５）を監視する。そして、動作制御信号が送信されてくると（ステップＳ６０３でＹｅｓと判断されると）、その動作制御信号に従ってポインタ５４とともに一方の動作バーを移動させる（ステップＳ６０４）。すなわち、この場合には、動作制御信号がチャンネルアップを指示する信号であるので、ポインタ５４を横方向動作バー５２と共に縦方向動作バー５３に沿って上方向に移動させる。その結果、図１１（ｄ）に示すように、ポインタ５４及び横方向動作バー５２の現在音量を示す音量１５の数値部分が、縦方向動作バー５３のチャンネル７の数値が表記されている位置に移動することになる。この後、図示は省略するが、チャンネルアップを指示する動作制御信号を受信するたびに、ポインタ５４及び横方向動作バー５２が、縦方向動作バー５３のチャンネル７からチャンネル８へ、チャンネル８からチャンネル９へと、順次上方向に移動することになる。
【００９６】
一方、リモコン送信機３０が動作制御信号生成モードに移行した状態（ステップＳ２０４でＮｏと判断された状態）で、ユーザが送信機本体３０Ａを前記原点位置から例えば下方向に移動させると、方向検出部４１がこの送信機本体３０Ａの動きを検出し（ステップＳ２０５）、その動き方向を判別する（ステップＳ２０６）。その結果、送信機本体３０Ａが下方向に移動したと判別すると、次に、その移動角度が予め設定されている一定角度（例えば２度等）移動したか否かを判断する（ステップＳ２１９）。そして、送信機本体３０Ａが下方向に一定角度移動したと判断すると（ステップＳ２１９でＹｅｓと判断されると）、これを受けて動作制御信号生成部４２は、信号生成用テーブルを参照して下方向の移動に対応したチャンネルダウンを指示する動作制御信号を生成する（ステップＳ２２０）。すなわち、この動作制御信号は、リモコン送信機３０Ａのチャンネルダウン３６ｂを操作したときに生成される動作制御信号と同じである。制御部４３は、この生成された動作制御信号をリモコン送信部４５を介して液晶テレビ装置１のリモコン受信部２４に向けて送信する（ステップＳ２２１）。この後、送信機本体３０Ａの下方向への移動が停止したか否かを判断し（ステップＳ２２２）、移動が停止していなければステップＳ２１９に戻って、送信機本体３０Ａの移動処理を継続する。すなわち、下方向への移動が継続して行われると、動作制御信号生成部４２では、送信機本体３０Ａが角度２度移動するたびにチャンネルダウンを指示する動作制御信号を生成し、制御部４３は、生成された動作制御信号をその都度液晶テレビ装置１側に送信することになる。一方、送信機本体３０Ａの移動が停止すると（ステップＳ２２２でＹｅｓと判断されると）、ステップＳ２０４に戻って専用ボタン３９の押し下げが解除されたか否かを判断し、解除されている場合には、解除信号を液晶テレビ装置１に送信して（ステップＳ２２３）、動作制御信号生成モードを終了する（ステップＳ２２４）。
【００９７】
一方、液晶テレビ装置１のマイコン２２は、図１１（ａ）に示すように各動作バー５２，５３を液晶パネル１６の画面に表示した状態で、リモコン送信機３０から動作制御信号が送信されてきたか否か（ステップＳ６０３）、及び、リモコン送信機３０から専用ボタン３９の押し下げ解除信号が送信されてきたか否か（ステップＳ６０５）を監視する。そして、動作制御信号が送信されてくると（ステップＳ６０３でＹｅｓと判断されると）、その動作制御信号に従ってポインタ５４とともに一方の動作バーを移動させる（ステップＳ６０４）。すなわち、この場合には、動作制御信号がチャンネルダウンを指示する信号であるので、ポインタ５４を横方向動作バー５２と共に縦方向動作バー５３に沿って下方向に移動させる。その結果、図１１（ｅ）に示すように、ポインタ５４及び横方向動作バー５２の現在音量を示す音量１５の数値部分が、縦方向動作バー５３のチャンネル５の数値が表記されている位置に移動することになる。この後、図示は省略するが、チャンネルダウンを指示する動作制御信号を受信するたびに、ポインタ５４及び横方向動作バー５２が、縦方向動作バー５３のチャンネル５からチャンネル４へ、チャンネル４からチャンネル３へと、順次下方向に移動することになる。
【００９８】
なお、液晶テレビ装置１のマイコン２２は、上記のように動作バーの表示処理を行っている場合において、リモコン送信機３０から専用ボタン３９の押し下げが解除されたことを示す解除信号を受信すると（ステップＳ６０５でＹｅｓと判断されると）、動作レバーの表示を終了する（ステップＳ６０６）。
【００９９】
このように、本実施例３によれば、ユーザは、送信機本体３０Ａを左右方向または上下方向に移動させたことによるポインタ５４と各動作バー５２，５３との動きを目視により確認できるので、現在の音量が、０（すなわちミュート）から３０（すなわち最大）までの全音量レベルの中のどの程度の音量レベルであるのか、また、現在の受信チャンネルが何チャンネルであるのかを、単なる数値の確認だけでなく、各動作バーの全長に対するポインタの位置によって直感的に（イメージ的に）把握することが可能となる。
【０１００】
＜実施例４＞
【０１０１】
上記実施例３では、送信機本体３０Ａの動きに応じて主にポインタ５４と他方の動作バーとを移動させているが、本実施例４では、送信機本体３０Ａの動きに応じてポインタ５４は位置固定とし、各動作バー５２，５３側を移動させる実施例である。
【０１０２】
すなわち、この場合のリモコン送信機３０での処理動作は上記実施例３と全く同じであるので、ここではリモコン送信機３０の処理動作の説明は省略する。また、液晶テレビ装置１の処理動作についても、そのほとんどは上記実施例３で説明した処理動作と同じであり、違うところは図１０のステップＳ６０４の処理だけである。すなわち、本実施例４では、ステップＳ６０４に対応する処理が、動作制御信号に従って各動作バーを移動する処理となる。
【０１０３】
以下、図１０に示した実施例３での液晶テレビ装置１の処理動作を用いて、本実施例４の液晶テレビ装置１の処理動作を説明する。また、図１２は、本実施例４に係る液晶パネル１６の画面表示例である。
【０１０４】
すなわち、液晶テレビ装置１のマイコン２２は、リモコン受信部２４を介して専用ボタン３９の操作信号を受信したか否かを常に監視している（ステップＳ６０１）。そして、専用ボタン３９の操作信号を受信すると（ステップＳ６０１でＹｅｓと判断されると）、液晶パネル１６に動作バーを表示する（ステップＳ６０２）。すなわち、本実施例４では、音量アップ・ダウンを示す横方向動作バーと、チャンネルアップ・ダウンを示す縦方向動作バーとを、音量及びチャンネルが現在の状態を示す位置で交差するように配置して表示するとともに、その交差部にポインタを表示する。
【０１０５】
図１２（ａ）は、このときの液晶パネル１６の表示画面例を示している。この例では、音量のアップ・ダウンを示す棒状の横方向動作バー５２と、チャンネルアップ・ダウンを示す縦方向動作バー５３とが、音量及びチャンネルが現在の状態を示す位置で交差するように配置して表示されるとともに、その交差部にポインタ５４が表示されている。横方向動作バー５２には、所定の間隔で音量が数値で表記（例えば０から３０までの数値で表記）されており、この例では画面左側が最小音量０、画面右側が最大音量３０となっている。また、縦方向動作バー５３には、所定の間隔でチャンネルが数値で表示（例えば１から１２までの数値で表記）されており、この例では画面上側が１２チャンネル、画面下側が１チャンネルとなっている。また、この例では、現在の音量が１５、現在の受信チャンネルが６チャンネルとなっている。ただし、本実施例４では、ポインタ５４の位置は画面中央部で位置固定となっている。
【０１０６】
マイコン２２は、図１２（ａ）に示すように各動作バー５２，５３を液晶パネル１６の画面に表示した状態で、リモコン送信機３０から動作制御信号が送信されてきたか否か（ステップＳ６０３）、及び、リモコン送信機３０から専用ボタン３９の押し下げ解除信号が送信されてきたか否か（ステップＳ６０５）を監視する。そして、動作制御信号が送信されてくると（ステップＳ６０３でＹｅｓと判断されると）、その動作制御信号に従ってポインタ５４を画面中央部で位置固定とし、対応する動作バーを移動させる（ステップＳ６０４）。すなわち、動作制御信号が音量ダウンを指示する信号である場合には、横方向動作バーを右方向に移動させる。その結果、図１２（ｂ）に示すように、ポインタ５４のところに、音量１４と表記された数値部分が位置するまで横方向動作バー５２が右方向に移動される。この後、図示は省略するが、音量ダウンを指示する動作制御信号を受信するたびに、横方向動作バー５２が、音量１４から音量１３へ、音量１３から音量１２へとポインタ５４部分に位置するように、横方向動作バー５２が順次右方向に移動することになる。
【０１０７】
一方、図１２（ａ）に示すように各動作バー５２，５３を液晶パネル１６の画面に表示した状態で、音量アップを指示する動作制御信号を受信した場合（ステップＳ６０３でＹｅｓと判断された場合）には、マイコン２２は、ポインタ５４を中央部で位置固定とし、横方向動作バー５２を左方向に移動させる。その結果、図１２（ｃ）に示すように、ポインタ５４のところに、音量１６と表記された数値部分が位置するまで横方向動作バー５２が右方向に移動される。この後、図示は省略するが、音量アップを指示する動作制御信号を受信するたびに、横方向動作バー５２が、音量１６から音量１７へ、音量１７から音量１８へとポインタ５４部分に位置するように、横方向動作バー５２が順次左方向に移動することになる。
【０１０８】
一方、図１２（ａ）に示すように各動作バー５２，５３を液晶パネル１６の画面に表示した状態で、チャンネルダウンを指示する動作制御信号を受信した場合（ステップＳ６０３でＹｅｓと判断された場合）には、マイコン２２は、ポインタ５４を中央部で位置固定とし、縦方向動作バー５３を上方向に移動させる。その結果、図１２（ｄ）に示すように、ポインタ５４のところに、チャンネル５と表記された数値部分が位置するまで縦方向動作バー５３が上方向に移動される。この後、図示は省略するが、チャンネルダウンを指示する動作制御信号を受信するたびに、縦方向動作バー５３が、チャンネル５からチャンネル４へ、チャンネル４からチャンネル３へとポインタ５４部分に位置するように、縦方向動作バー５３が順次上方向に移動することになる。
【０１０９】
一方、図１２（ａ）に示すように各動作バー５２，５３を液晶パネル１６の画面に表示した状態で、チャンネルアップを指示する動作制御信号を受信した場合（ステップＳ６０３でＹｅｓと判断された場合）には、マイコン２２は、ポインタ５４を中央部で位置固定とし、縦方向動作バー５３を下方向に移動させる。その結果、図１２（ｅ）に示すように、ポインタ５４のところに、チャンネル７と表記された数値部分が位置するまで縦方向動作バー５３が下方向に移動される。この後、図示は省略するが、チャンネルアップを指示する動作制御信号を受信するたびに、縦方向動作バー５３が、チャンネル７からチャンネル８へ、チャンネル８からチャンネル９へとポインタ５４部分に位置するように、縦方向動作バー５３が順次下方向に移動することになる。
【０１１０】
このように、本実施例４によれば、ユーザは、送信機本体３０Ａを左右方向または上下方向に移動させたことによるポインタ５４と各動作バー５２，５３との動きを目視により確認できるので、現在の音量が、０（すなわちミュート）から３０（すなわち最大）までの全音量レベルの中のどの程度の音量レベルであるのか、また、現在の受信チャンネルが何チャンネルであるのかを、単なる数値の確認だけでなく、各動作バーの全長に対するポインタの位置によって直感的に（イメージ的に）把握することが可能となる。
【０１１１】
＜実施例５＞
【０１１２】
本実施例５は、送信機本体３０Ａの斜め方向の動きに対応させて、各動作バーとポインタとを画面上で移動させる実施例である。すなわち、上記実施例３では、送信機本体３０Ａの動きとして左右方向と上下方向の４方向であったが、本実施例５では、これに斜め方向の動きを加えることで、左右方向と上下方向の切り換えを同時に行えるようにしたものである。なお、本実施例５では、送信機本体３０Ａを左右方向及び上下方向に移動させた場合の処理動作の説明は省略し、斜め方向に移動させた場合の処理動作について説明する。
【０１１３】
以下、図１３及び図１４に示すフローチャート及び図１５に示す画面表示例を参照して、本実施例５に係る動作制御信号生成モード時のリモコン送信機３０の処理動作及び液晶テレビ装置１の処理動作を説明する。ただし、図１３はリモコン送信機３０の処理動作を示すフローチャート、図１４は液晶テレビ装置１の処理動作を示すフローチャートである。
【０１１４】
リモコン送信機３０の制御部４３は、専用ボタン３９が押し下げされたか否かを常に監視している（ステップＳ３０１）。そして、ユーザがリモコン送信機３０の専用ボタン３９を押し下げることによって、その操作信号がキー入力部４４を介して制御部４３に入力されると（ステップＳ３０１でＹｅｓと判断されると）、制御部４３は、その操作信号をリモコン送信部４５から液晶テレビ装置１に送信するとともに（ステップＳ３０２）、リモコン送信機３０を、送信機本体３０Ａの動きに応じた動作制御信号を生成する動作制御信号生成モードに移行する（ステップＳ３０３）。すなわち、制御部４３は、専用ボタン３９が押し下げされている間だけ、動作制御信号生成部４２及び方向検出部４１を起動して、送信機本体３０Ａの動き検出を有効とする。また、制御部４３は、専用ボタン３９が押し下げされたときの送信機本体３０Ａの姿勢を原点位置として記憶する。通常、専用ボタン３９が押し下げされたときの送信機本体３０Ａの姿勢は、リモコン送信機３０のリモコン送信部４５が液晶テレビ装置１のリモコン受信部２４に向いた状態となっている。
【０１１５】
一方、液晶テレビ装置１のマイコン２２は、リモコン受信部２４を介して専用ボタン３９の操作信号を受信したか否かを常に監視している（ステップＳ７０１）。そして、専用ボタン３９の操作信号を受信すると（ステップＳ７０１でＹｅｓと判断されると）、液晶パネル１６に動作バーを表示する（ステップＳ７０２）。すなわち、本実施例５では、音量アップ・ダウンを示す横方向動作バーと、チャンネルアップ・ダウンを示す縦方向動作バーとを、音量及びチャンネルが現在の状態を示す位置で交差するように配置して表示するとともに、その交差部にポインタを表示する。
【０１１６】
図１５（ａ）は、このときの液晶パネル１６の表示画面例を示している。この例では、音量のアップ・ダウンを示す棒状の横方向動作バー５５と、チャンネルアップ・ダウンを示す縦方向動作バー５６とが、音量及びチャンネルが現在の状態を示す位置で交差するように配置して表示されるとともに、その交差部にポインタ５７が表示されている。横方向動作バー５５には、所定の間隔で音量が数値で表記（例えば０から３０までの数値で表記）されており、この例では画面左側が最小音量０、画面右側が最大音量３０となっている。また、縦方向動作バー５６には、所定の間隔でチャンネルが数値で表示（例えば１から１２までの数値で表記）されており、この例では画面上側が１２チャンネル、画面下側が１チャンネルとなっている。この例では、現在の音量が１５、現在の受信チャンネルが６チャンネルとなっている。
【０１１７】
一方、リモコン送信機３０が動作制御信号生成モードに移行した状態（ステップＳ３０４でＮｏと判断された状態）で、ユーザが送信機本体３０Ａを前記原点位置から例えば左斜め上方向に移動させると、方向検出部４１がこの送信機本体３０Ａの動きを検出し（ステップＳ３０５）、その動き方向を判別する（ステップＳ３０６）。その結果、送信機本体３０Ａが左斜め上方向に移動したと判別すると、次に、その移動角度が予め設定されている一定角度（例えば２度等）移動したか否かを判断する（ステップＳ３０７）。そして、送信機本体３０Ａが左斜め上方向に一定角度移動したと判断すると（ステップＳ３０７でＹｅｓと判断されると）、これを受けて動作制御信号生成部４２は、信号生成用テーブルを参照して左方向の移動に対応した音量ダウンを指示する動作制御信号と、上方向の移動に対応したチャンネルアップを指示する動作制御信号とを生成する（ステップＳ３０８）。すなわち、音量ダウンを指示する動作制御信号は、リモコン送信機３０Ａの音量ダウンボタン３５ｂを操作したときに生成される動作制御信号と同じであり、チャンネルアップを指示する動作制御信号はチャンネルアップボタン３６ａを操作したときに生成される動作制御信号と同じである。制御部４３は、これらの生成された動作制御信号をリモコン送信部４５を介して液晶テレビ装置１のリモコン受信部２４に向けて送信する（ステップＳ３０９）。この後、送信機本体３０Ａの左斜め上方向への移動が停止したか否かを判断し（ステップＳ３１０）、移動が停止していなければステップＳ３０７に戻って、送信機本体３０Ａの移動処理を継続する。すなわち、左斜め上方向への移動が継続して行われると、動作制御信号生成部４２では、送信機本体３０Ａが２度移動するたびに音量ダウンを指示する動作制御信号とチャンネルアップを指示する動作制御信号とを生成し、制御部４３は、これら生成された動作制御信号をその都度液晶テレビ装置１側に送信することになる。一方、送信機本体３０Ａの移動が停止すると（ステップＳ３１０でＹｅｓと判断されると）、ステップＳ３０４に戻って専用ボタン３９の押し下げが解除されたか否かを判断し、解除されている場合には、解除信号を液晶テレビ装置１に送信して（ステップＳ３２３）、動作制御信号生成モードを終了する（ステップＳ３２４）。
【０１１８】
一方、液晶テレビ装置１のマイコン２２は、図１５（ａ）に示すように各動作バー５５，５６を液晶パネル１６の画面に表示した状態で、リモコン送信機３０から動作制御信号が送信されてきたか否か（ステップＳ７０３）、及び、リモコン送信機３０から専用ボタン３９の押し下げ解除信号が送信されてきたか否か（ステップＳ７０５）を監視する。そして、動作制御信号が送信されてくると（ステップＳ７０３でＹｅｓと判断されると）、その動作制御信号に従って動作バーを移動させる（ステップＳ７０４）。すなわち、この場合には、音量ダウンを指示する動作制御信号とチャンネルアップを指示する動作制御信号とが送信されてくるので、マイコン２２は、まず音量ダウンを指示する動作制御信号に基づいて、ポインタ５７を縦方向動作バー５６と共に横方向動作バー５５に沿って左方向に移動させる。次に、マイコン２２は、チャンネルアップを指示する動作制御信号に基づいて、ポインタ５７を横方向動作バー５５と共に縦方向動作バー５６に沿って上方向に移動させる。その結果、図１５（ｂ）に示すように、横方向動作バー５５と縦方向動作バー５６とは、横方向動作バーの音量１４の位置と縦方向動作バー５６のチャンネル７の位置とが交差し、この交差部にポインタ５７が移動することになる。この後、送信機本体３０Ａが引き続いて左斜め上方向に２度移動すると、リモコン送信機３０から再び音量ダウンを指示する動作制御信号とチャンネルアップを指示する動作制御信号とが送信されてくるので、液晶テレビ装置１のマイコン２２は、図示は省略しているが、受信した音量ダウンを指示する動作制御信号に基づいて縦方向動作バー５６を左方向にさらに１目盛り移動させ、受信したチャンネルアップを指示する動作制御信号に基づいて横方向動作バー５５を上方向にさらに１目盛り移動させることになる。すなわち、横方向動作バー５５と縦方向動作バー５６とは、横方向動作バーの音量１３の位置と縦方向動作バー５６のチャンネル８の位置とが交差し、この交差部にポインタ５７が移動することになる。マイコン２２は、送信機本体３０Ａが引き続いて左斜め上方向に２度移動するたびに上記の処理を行うことになる。すなわち、両動作バーの交差部であるポインタ５７に着目すると、ポインタ５７が液晶パネル１６の画面上を中央部から左斜め上方向に向かって順次移動することになる。
【０１１９】
一方、リモコン送信機３０が動作制御信号生成モードに移行した状態（ステップＳ３０４でＮｏと判断された状態）で、ユーザが送信機本体３０Ａを前記原点位置から例えば右斜め下方向に移動させると、方向検出部４１がこの送信機本体３０Ａの動きを検出し（ステップＳ３０５）、その動き方向を判別する（ステップＳ３０６）。その結果、送信機本体３０Ａが右斜め下方向に移動したと判別すると、次に、その移動角度が予め設定されている一定角度（例えば２度等）移動したか否かを判断する（ステップＳ３１１）。そして、送信機本体３０Ａが右斜め下方向に一定角度移動したと判断すると（ステップＳ３１１でＹｅｓと判断されると）、これを受けて動作制御信号生成部４２は、信号生成用テーブルを参照して右方向の移動に対応した音量アップを指示する動作制御信号と、下方向の移動に対応したチャンネルダウンを指示する動作制御信号とを生成する（ステップＳ３１２）。すなわち、音量アップを指示する動作制御信号は、リモコン送信機３０Ａの音量アップボタン３５ａを操作したときに生成される動作制御信号と同じであり、チャンネルダウンを指示する動作制御信号はチャンネルダウンボタン３６ｂを操作したときに生成される動作制御信号と同じである。制御部４３は、これらの生成された動作制御信号をリモコン送信部４５を介して液晶テレビ装置１のリモコン受信部２４に向けて送信する（ステップＳ３１３）。この後、送信機本体３０Ａの右左斜め下方向への移動が停止したか否かを判断し（ステップＳ３１４）、移動が停止していなければステップＳ３１１に戻って、送信機本体３０Ａの移動処理を継続する。すなわち、右斜め下方向への移動が継続して行われると、動作制御信号生成部４２では、送信機本体３０Ａが２度移動するたびに音量アップを指示する動作制御信号とチャンネルダウンを指示する動作制御信号とを生成し、制御部４３は、これら生成された動作制御信号をその都度液晶テレビ装置１側に送信することになる。一方、送信機本体３０Ａの移動が停止すると（ステップＳ３１４でＹｅｓと判断されると）、ステップＳ３０４に戻って専用ボタン３９の押し下げが解除されたか否かを判断し、解除されている場合には、解除信号を液晶テレビ装置１に送信して（ステップＳ３２３）、動作制御信号生成モードを終了する（ステップＳ３２４）。
【０１２０】
一方、液晶テレビ装置１のマイコン２２は、図１５（ａ）に示すように各動作バー５５，５６を液晶パネル１６の画面に表示した状態で、リモコン送信機３０から動作制御信号が送信されてきたか否か（ステップＳ７０３）、及び、リモコン送信機３０から専用ボタン３９の押し下げ解除信号が送信されてきたか否か（ステップＳ７０５）を監視する。そして、動作制御信号が送信されてくると（ステップＳ７０３でＹｅｓと判断されると）、その動作制御信号に従って動作バーを移動させる（ステップＳ７０４）。すなわち、この場合には、音量アップを指示する動作制御信号とチャンネルダウンを指示する動作制御信号とが送信されてくるので、マイコン２２は、まず音量アップを指示する動作制御信号に基づいて、ポインタ５７を縦方向動作バー５６と共に横方向動作バー５５に沿って右方向に移動させる。次に、マイコン２２は、チャンネルダウンを指示する動作制御信号に基づいて、ポインタ５７を横方向動作バー５５と共に縦方向動作バー５６に沿って下方向に移動させる。その結果、図１５（ｃ）に示すように、横方向動作バー５５と縦方向動作バー５６とは、横方向動作バーの音量１６の位置と縦方向動作バー５６のチャンネル５の位置とが交差し、この交差部にポインタ５７が移動することになる。この後、送信機本体３０Ａが引き続いて右斜め下方向に２度移動すると、リモコン送信機３０から再び音量アップを指示する動作制御信号とチャンネルダウンを指示する動作制御信号とが送信されてくるので、液晶テレビ装置１のマイコン２２は、図示は省略しているが、受信した音量アップを指示する動作制御信号に基づいて縦方向動作バー５６を右方向にさらに１目盛り移動させ、受信したチャンネルダウンを指示する動作制御信号に基づいて横方向動作バー５５を下方向にさらに１目盛り移動させることになる。すなわち、横方向動作バー５５と縦方向動作バー５６とは、横方向動作バーの音量１７の位置と縦方向動作バー５６のチャンネル４の位置とが交差し、この交差部にポインタ５７が移動することになる。マイコン２２は、送信機本体３０Ａが引き続いて右斜め下方向に２度移動するたびに上記の処理を行うことになる。すなわち、両動作バーの交差部であるポインタ５７に着目すると、ポインタ５７が液晶パネル１６の画面上を中央部から右斜め下方向に向かって順次移動することになる。
【０１２１】
一方、リモコン送信機３０が動作制御信号生成モードに移行した状態（ステップＳ３０４でＮｏと判断された状態）で、ユーザが送信機本体３０Ａを前記原点位置から例えば右斜め上方向に移動させると、方向検出部４１がこの送信機本体３０Ａの動きを検出し（ステップＳ３０５）、その動き方向を判別する（ステップＳ３０６）。その結果、送信機本体３０Ａが右斜め上方向に移動したと判別すると、次に、その移動角度が予め設定されている一定角度（例えば２度等）移動したか否かを判断する（ステップＳ３１５）。そして、送信機本体３０Ａが右斜め上方向に一定角度移動したと判断すると（ステップＳ３１５でＹｅｓと判断されると）、これを受けて動作制御信号生成部４２は、信号生成用テーブルを参照して右方向の移動に対応した音量アップを指示する動作制御信号と、上方向の移動に対応したチャンネルアップを指示する動作制御信号とを生成する（ステップＳ３１６）。すなわち、音量アップを指示する動作制御信号は、リモコン送信機３０Ａの音量アップボタン３５ａを操作したときに生成される動作制御信号と同じであり、チャンネルアップを指示する動作制御信号はチャンネルアップボタン３６ａを操作したときに生成される動作制御信号と同じである。制御部４３は、これらの生成された動作制御信号をリモコン送信部４５を介して液晶テレビ装置１のリモコン受信部２４に向けて送信する（ステップＳ３１７）。この後、送信機本体３０Ａの右左斜め上方向への移動が停止したか否かを判断し（ステップＳ３１８）、移動が停止していなければステップＳ３１５に戻って、送信機本体３０Ａの移動処理を継続する。すなわち、右斜め上方向への移動が継続して行われると、動作制御信号生成部４２では、送信機本体３０Ａが２度移動するたびに音量アップを指示する動作制御信号とチャンネルアップを指示する動作制御信号とを生成し、制御部４３は、これら生成された動作制御信号をその都度液晶テレビ装置１側に送信することになる。一方、送信機本体３０Ａの移動が停止すると（ステップＳ３１８でＹｅｓと判断されると）、ステップＳ３０４に戻って専用ボタン３９の押し下げが解除されたか否かを判断し、解除されている場合には、解除信号を液晶テレビ装置１に送信して（ステップＳ３２３）、動作制御信号生成モードを終了する（ステップＳ３２４）。
【０１２２】
一方、液晶テレビ装置１のマイコン２２は、図１５（ａ）に示すように各動作バー５５，５６を液晶パネル１６の画面に表示した状態で、リモコン送信機３０から動作制御信号が送信されてきたか否か（ステップＳ７０３）、及び、リモコン送信機３０から専用ボタン３９の押し下げ解除信号が送信されてきたか否か（ステップＳ７０５）を監視する。そして、動作制御信号が送信されてくると（ステップＳ７０３でＹｅｓと判断されると）、その動作制御信号に従って動作バーを移動させる（ステップＳ７０４）。すなわち、この場合には、音量アップを指示する動作制御信号とチャンネルアップを指示する動作制御信号とが送信されてくるので、マイコン２２は、まず音量アップを指示する動作制御信号に基づいて、ポインタ５７を縦方向動作バー５６と共に横方向動作バー５５に沿って右方向に移動させる。次に、マイコン２２は、チャンネルアップを指示する動作制御信号に基づいて、ポインタ５７を横方向動作バー５５と共に縦方向動作バー５６に沿って上方向に移動させる。その結果、図１５（ｄ）に示すように、横方向動作バー５５と縦方向動作バー５６とは、横方向動作バーの音量１６の位置と縦方向動作バー５６のチャンネル７の位置とが交差し、この交差部にポインタ５７が移動することになる。この後、送信機本体３０Ａが引き続いて右斜め上方向に２度移動すると、リモコン送信機３０から再び音量アップを指示する動作制御信号とチャンネルアップを指示する動作制御信号とが送信されてくるので、液晶テレビ装置１のマイコン２２は、図示は省略しているが、受信した音量アップを指示する動作制御信号に基づいて縦方向動作バー５６を右方向にさらに１目盛り移動させ、受信したチャンネルアップを指示する動作制御信号に基づいて縦方向動作バー５６を上方向にさらに１目盛り移動させることになる。すなわち、横方向動作バー５５と縦方向動作バー５６とは、横方向動作バーの音量１７の位置と縦方向動作バー５６のチャンネル８の位置とが交差し、この交差部にポインタ５７が移動することになる。マイコン２２は、送信機本体３０Ａが引き続いて右斜め上方向に２度移動するたびに上記の処理を行うことになる。すなわち、両動作バーの交差部であるポインタ５７に着目すると、ポインタ５７が液晶パネル１６の画面上を中央部から右斜め上方向に向かって順次移動することになる。
【０１２３】
一方、リモコン送信機３０が動作制御信号生成モードに移行した状態（ステップＳ３０４でＮｏと判断された状態）で、ユーザが送信機本体３０Ａを前記原点位置から例えば左斜め下方向に移動させると、方向検出部４１がこの送信機本体３０Ａの動きを検出し（ステップＳ３０５）、その動き方向を判別する（ステップＳ３０６）。その結果、送信機本体３０Ａが左斜め下方向に移動したと判別すると、次に、その移動角度が予め設定されている一定角度（例えば２度等）移動したか否かを判断する（ステップＳ３１９）。そして、送信機本体３０Ａが左斜め下方向に一定角度移動したと判断すると（ステップＳ３１９でＹｅｓと判断されると）、これを受けて動作制御信号生成部４２は、信号生成用テーブルを参照して左方向の移動に対応した音量ダウンを指示する動作制御信号と、下方向の移動に対応したチャンネルダウンを指示する動作制御信号とを生成する（ステップＳ３２０）。すなわち、音量ダウンを指示する動作制御信号は、リモコン送信機３０Ａの音量ダウンボタン３５ｂを操作したときに生成される動作制御信号と同じであり、チャンネルダウンを指示する動作制御信号はチャンネルダウンボタン３６ｂを操作したときに生成される動作制御信号と同じである。制御部４３は、これらの生成された動作制御信号をリモコン送信部４５を介して液晶テレビ装置１のリモコン受信部２４に向けて送信する（ステップＳ３２１）。この後、送信機本体３０Ａの左左斜め下方向への移動が停止したか否かを判断し（ステップＳ３２２）、移動が停止していなければステップＳ３１９に戻って、送信機本体３０Ａの移動処理を継続する。すなわち、左斜め下方向への移動が継続して行われると、動作制御信号生成部４２では、送信機本体３０Ａが２度移動するたびに音量ダウンを指示する動作制御信号とチャンネルダウンを指示する動作制御信号とを生成し、制御部４３は、これら生成された動作制御信号をその都度液晶テレビ装置１側に送信することになる。一方、送信機本体３０Ａの移動が停止すると（ステップＳ３２２でＹｅｓと判断されると）、ステップＳ３０４に戻って専用ボタン３９の押し下げが解除されたか否かを判断し、解除されている場合には、解除信号を液晶テレビ装置１に送信して（ステップＳ３２３）、動作制御信号生成モードを終了する（ステップＳ３２４）。
【０１２４】
一方、液晶テレビ装置１のマイコン２２は、図１５（ａ）に示すように各動作バー５５，５６を液晶パネル１６の画面に表示した状態で、リモコン送信機３０から動作制御信号が送信されてきたか否か（ステップＳ７０３）、及び、リモコン送信機３０から専用ボタン３９の押し下げ解除信号が送信されてきたか否か（ステップＳ７０５）を監視する。そして、動作制御信号が送信されてくると（ステップＳ７０３でＹｅｓと判断されると）、その動作制御信号に従って動作バーを移動させる（ステップＳ７０４）。すなわち、この場合には、音量ダウンを指示する動作制御信号とチャンネルダウンを指示する動作制御信号とが送信されてくるので、マイコン２２は、まず音量ダウンを指示する動作制御信号に基づいて、ポインタ５７を縦方向動作バー５６と共に横方向動作バー５５に沿って左方向に移動させる。次に、マイコン２２は、チャンネルダウンを指示する動作制御信号に基づいて、ポインタ５７を横方向動作バー５５と共に縦方向動作バー５６に沿って下方向に移動させる。その結果、図１５（ｅ）に示すように、横方向動作バー５５と縦方向動作バー５６とは、横方向動作バーの音量１４の位置と縦方向動作バー５６のチャンネル５の位置とが交差し、この交差部にポインタ５７が移動することになる。この後、送信機本体３０Ａが引き続いて左斜め下方向に２度移動すると、リモコン送信機３０から再び音量ダウンを指示する動作制御信号とチャンネルダウンを指示する動作制御信号とが送信されてくるので、液晶テレビ装置１のマイコン２２は、図示は省略しているが、受信した音量ダウンを指示する動作制御信号に基づいて縦方向動作バー５６を左方向にさらに１目盛り移動させ、受信したチャンネルダウンを指示する動作制御信号に基づいて横方向動作バー５５を下方向にさらに１目盛り移動させることになる。すなわち、横方向動作バー５５と縦方向動作バー５６とは、横方向動作バーの音量１３の位置と縦方向動作バー５６のチャンネル４の位置とが交差し、この交差部にポインタ５７が移動することになる。マイコン２２は、送信機本体３０Ａが引き続いて左斜め下方向に２度移動するたびに上記の処理を行うことになる。すなわち、両動作バーの交差部であるポインタ５７に着目すると、ポインタ５７が液晶パネル１６の画面上を中央部から左斜め下方向に向かって順次移動することになる。
【０１２５】
なお、上記実施例５では、動作バーとポインタの表示に際し、横方向動作バー５５を上下に移動させ、縦方向動作バー５６を左右方向に移動させることで、ポインタ５７が斜め方向に移動していくように構成しているが、このような表示形態ではてぐ、ポインタ５７の表示は画面中央部で位置固定とし、このポインタ５７を中心として横方向動作バー５５を左右方向に移動させ、縦方向動作バー５６を縦方向に移動させることで、音量アップ・ダウンやチャンネルアップ・ダウンの切り換え表示を行うようにしてもよい。
【０１２６】
このように、本実施例５によれば、送信機本体３０Ａを斜め方向に移動させることにより、音量のアップ・ダウンとチャンネルのアップ・ダウンの２つの動作を同時に切り換えることが可能となる。また、本実施例５によれば、ユーザは、送信機本体３０Ａを斜め方向に移動させたことによるポインタ５７と各動作バー５５，５６との動きを目視により確認できるので、現在の音量が、０（すなわちミュート）から３０（すなわち最大）までの全音量レベルの中のどの程度の音量レベルであるのか、また、現在の受信チャンネルが何チャンネルであるのかを、単なる数値の確認だけでなく、各動作バーの全長に対するポインタの位置によって直感的に（イメージ的に）把握することが可能となる。
【０１２７】
なお、上記各実施例では、送信機本体３０Ａを原点位置から一方向に移動させた場合について個別に説明しているが、例えば上記実施例１の場合、送信機本体３０Ａの専用ボタン３９を押した状態で例えば左方向に移動させた後、そのまま右方向に移動させると、ポインタの動作もこれに伴って左方向に移動した後、右方向に移動することになる。すなわち、専用ボタン３９を押した状態で送信機本体３０Ａを左右に移動させることによって、音量のアップ・ダウンが可能である。このことは、他の実施例２〜５についても同様である。
【０１２８】
また、上記実施形態では、リモコン送信機を備えた電子装置としてテレビジョン受信装置（特に、液晶テレビ装置）を例に挙げて説明しているが、このようなテレビジョン受信装置に限定されるものではなく、例えはＤＶＤレコーダや、ＢＬレコーダ、ビデオテープレコーダ等のＡＶ機器に本発明を適用することが可能である。これらのＡＶ機器の場合には、音量のアップ・ダウンやチャンネルのアップ・ダウンだけでなく、例えば早送りや巻き戻しの操作に本発明を適用することが可能である。
【符号の説明】
【０１２９】
１  液晶テレビ装置
１０  チューナ
１０ａ  アンテナ
１２  映像信号処理部
１４  ＯＳＤ処理部
１６  液晶パネル
１８  音声信号処理部
２０  スピーカ
２２  マイコン
２４  モコン受信部
２６  バックライト
２８  インバータ回路
２９  タイマー回路
３０  リモコン送信機
３０Ａ  送信機本体
３１  電源ボタン
３２  数字ボタン
３３  メニューボタン
３４  データボタン
３５  音量アップ・ダウンボタン
３６  チャンネルアップ・ダウンボタン
３７ａ〜３７ｄ  カーソルボタン
３８  決定ボタン
３９  専用ボタン
４０  投光部
４１  方向検出部
４２  動作制御信号生成部
４３  制御部
４４  キー入力部
４５  リモコン送信部
５０  動作バー
５１，５４，５７  ポインタ
５２，５５  横方向動作バー
５３，５６  縦方向動作バー
【図１】
2011055368.tif 000003
【図２】
2011055368.tif 000004
【図３】
2011055368.tif 000005
【図４】
2011055368.tif 000006
【図５】
2011055368.tif 000007
【図６】
2011055368.tif 000008
【図７】
2011055368.tif 000009
【図８】
2011055368.tif 000010
【図９】
2011055368.tif 000011
【図１０】
2011055368.tif 000012
【図１１】
2011055368.tif 000013
【図１２】
2011055368.tif 000014
【図１３】
2011055368.tif 000015
【図１４】
2011055368.tif 000016
【図１５】
2011055368.tif 000017